(57)【特許請求の範囲】
【請求項１】
断熱壁と断熱扉によって区画され収納物を収納する収納室と、前記収納室内の収納量を推定する収納量推定部と、前記収納量推定部の推定結果を記憶する記憶部と、前記記憶部に記憶された前回までの前記収納量の推定結果を基準データとし、前記基準データと前記収納量推定部の推定結果とに基づいて収納変化量を演算するとともに、予め定められた閾値と前記収納変化量とを比較し、前記収納変化量が前記閾値を越えたときに、収納量が変化したと判断し、前記収納変化量が前記閾値を越えないときには、収納量に変化がないと判断して、前記収納量推定部の推定結果前の記憶部の収納量の基準データを変えずに維持して前記基準データを構築し、前記記憶部の収納変化量データから前記収納室内の将来の収納量の変化を予測する収納量変化予測部と、前記収納量変化予測部の将来の収納量の変化予測データに基づいて電気機能部品の出力動作を制御する演算制御部と、を備えたもので、前記収納量変化予測部は、前記記憶部に記憶された過去の複数週の収納量推定データから将来の一週間の中でのまとめ買い日を特定し、前記まとめ買い日と、まとめ買いでない日とで、前記電気機能部品の出力動作を切り替えて冷却量を制御することを特徴とする冷蔵庫。
【請求項２】
扉開閉検知部をさらに備え、前記演算制御部は、前記記憶部に記憶された扉開閉データに基づいて、利用者の未使用時間帯を予測し、前記未使用時間帯の終了時間の所定時間前から前記収納室内の冷却量を高めることを特徴とする請求項１に記載の冷蔵庫。
【請求項３】
温度検知部をさらに備え、前記演算制御部は、前記記憶部に記憶された一定期間の温度データに基づいて、利用者の熱負荷時間帯を予測し、前記熱負荷時間帯の開始時間の所定時間前から前記収納室内の冷却量を高めることを特徴とする請求項１に記載の冷蔵庫。
【発明の詳細な説明】
【技術分野】
【０００１】
本発明は、貯蔵室の収納量を検知する手段を備えた冷蔵庫に関する。
【背景技術】
【０００２】
近年の家庭用冷蔵庫の冷却方法としては、冷気をファンで冷蔵庫内に循環させる間接冷却方式が一般的である。このような従来の冷蔵庫は、冷蔵庫内に、冷蔵室の温度を検知する冷蔵室温度センサと、冷凍室の温度を検知する冷凍室温度センサとを有している。また、従来の冷蔵庫は、これらのセンサから出力される検知結果に応じて温調制御することで、庫内の温度を適温に保っている。
【０００３】
例えば、庫内温度を均一に保つ冷蔵庫として、可動式の冷気吐出装置を設けた冷蔵庫がある（例えば、特許文献１を参照）。
【０００４】
図３４は、従来の冷蔵庫１００の要部正面図であり、図３５は、従来の冷蔵庫１００の温度センサ等の構成部品の挙動を模式的に示す図である。
【０００５】
図３４に示すように、従来の冷蔵庫１００においては、冷蔵室１０１内に設けられた可動式の冷気吐出装置１０２が、左右に冷気を供給して庫内温度の均一化を図っている。
【０００６】
また、図３５に示したように、従来の冷蔵庫１００においては、冷凍室温度センサの検知する温度が所定の温度（ＯＮ温度）まで上昇すると圧縮機を駆動し、また、冷蔵室温度センサの検知温度が所定値の温度（開温度）以上であれば、冷蔵室ダンパを「閉→開」とする動作を行って、冷却ファンを駆動する（以下、この動作を「冷蔵室冷凍室同時冷却ａ」という）。
【０００７】
その後、冷蔵室温度センサの検知温度が所定の温度（閉温度）に到達すると、冷蔵室ダンパを「開→閉」とする動作を行い、冷凍室側のみを冷却運転する。（以下、この動作を「冷凍室単独冷却ｂ」という）。
【０００８】
その後、冷凍室温度センサの検知温度が所定の温度（ＯＦＦ温度）に到達すると、圧縮機を停止する（以下、この動作を「冷却停止ｃ」という）。
【０００９】
そして、従来の冷蔵庫１００は、その通常運転中に、冷蔵室冷凍室同時冷却ａ、冷凍室単独冷却ｂ、冷却停止ｃの一連の動作を順に繰り返す。
【００１０】
なお、冷凍室ダンパを有する冷蔵庫１００であれば、上記一連の動作に、冷蔵室ダンパを「開」、冷凍室ダンパを「閉」として、圧縮機および冷却ファンを駆動する動作が加えられる（以下、この動作を「冷蔵室単独冷却ｄ」という）。
【先行技術文献】
【特許文献】
【００１１】
【特許文献１】特開平８−２４７６０８号公報
【発明の概要】
【発明が解決しようとする課題】
【００１２】
しかしながら、従来の冷蔵庫１００は、庫内温度の均一化を行っても、必ずしも収納物が最適な温度で保存されるとは限らない。これは、冷蔵庫１００が温度検知手段である温
度センサによって庫内の雰囲気温度または戻り空気温度を検知しており、収納物の温度を直接検知する手段を備えていないためである。
【００１３】
つまり、冷蔵庫１００内の雰囲気温度と収納物の実際の温度との間には差異が存在する。例えば、収納物の投入直後、長時間の扉開放後、および霜取り運転の直後等の、冷蔵庫１００内の温度が上昇した状態から、庫内が冷却されて設定温度に達するまでの過渡期間を想定する。この期間、庫内に配置された温度検知手段の検知温度と収納物の温度との間には、収納物の量および収納物の比熱や熱容量に依存した温度差が生じる。このため、収納量によって最適な保存温度に至るまでの時間は変化する。具体的には、収納量が多いときには最適な保存温度に至るまでの冷却時間は長くなることが一般的であり、このため、過冷運転になる場合がある。
【００１４】
また、冷却して十分な時間が経過し、収納物の温度が低温で安定した後には、収納物は自身の熱容量により温度を保つ。しかしながら、収納量が多い場合には、収納物が吐出口付近に置かれる可能性が高くなり、冷気が直接に収納物に当たり、冷えすぎになる傾向がある。さらに、収納量が多いほど熱容量が大きくなるので、通常収納量の場合よりも、空気と食品との温度差が少なくなるので、過冷になる傾向がある。このため、従来の冷却制御では、収納物が「冷えすぎ」の状態となりやすく、収納物を最適な温度で冷却することが難しい。さらに、この間、冷蔵庫１００は、余分なエネルギーを消費しながら冷却運転を行っており、無駄が発生する。
【００１５】
近年、就労形態が変化し、共働き世帯が増加している。また、大型スーパー等での買物の機会が増加している。これにより、休日に、一度に一週間分の食品等をまとめ買いする人々が増加しており、冷蔵庫１００の収納量が今までよりも大きく変化する傾向がある。一方、平日等は食品等の収納物が追加されない場合も多く、一般家庭の生活パターンが変化しつつある。
【００１６】
また、収納量が大きく増加した場合、従来の冷蔵庫１００では、庫内に配置された温度センサの検知結果に応じて温調制御を行うので、収納物の投入から温度センサが温度の上昇を検知するまでに時間差が生じる。これは、温度センサが、通常、樹脂でモールドされており、急激な温度変化に追随しにくいことにも起因する。このため、収納物の投入から圧縮機や冷却ファンの回転数を上げる等の急冷運転を開始するまでに時間がかかる。つまり、収納物を最適保存温度に至るまで冷やすための時間が長くなるので、食品の保鮮性が低下するという課題も有している。
【００１７】
本発明は、上述した課題に鑑みてなされたものであり、省エネ性を高めながら、保鮮性を向上した使い勝手のよい冷蔵庫を提供することを目的とする。
【課題を解決するための手段】
【００１８】
上記従来の課題を解決するために、本発明の冷蔵庫は、断熱壁と断熱扉によって区画さ
れ収納物を収納する収納室と、前記収納室内の収納量を推定する収納量推定部と、前記収納量推定部の推定結果を記憶する記憶部と、前記記憶部に記憶された前回までの前記収納量の推定結果を基準データとし、前記基準データと前記収納量推定部の推定結果とに基づいて収納変化量を演算するとともに、予め定められた閾値と前記収納変化量とを比較し、前記収納変化量が前記閾値を越えたときに、収納量が変化したと判断し、前記収納変化量が前記閾値を越えないときには、収納量に変化がないと判断して、前記収納量推定部の推定結果前の記憶部の収納量の基準データを変えずに維持して前記基準データを構築し、前記記憶部の収納変化量データから前記収納室内の将来の収納量の変化を予測する収納量変化予測部と、前記収納量変化予測部の将来の収納量の変化予測データに基づいて電気機能部品の出力動作を制御する演算制御部と、を備えたもので、前記収納量変化予測部は、前記記憶部に記憶された過去の複数週の収納量推定データから将来の一週間の中でのまとめ買い日を特定し、前記まとめ買い日と、まとめ買いでない日とで、前記電気機能部品の出力動作を切り替えて冷却量を制御するものである。
【００１９】
これによって、収納室内の将来の収納量の変化を予測して適切に対応することができる。
【発明の効果】
【００２０】
本発明の冷蔵庫は、収納室内の将来の収納量の変化を予測して適切に対応することができ、省エネ性を高めながら、保鮮性を向上した使い勝手のよい冷蔵庫を提供することができる。
【図面の簡単な説明】
【００２１】
【図１】本発明の実施の形態１における冷蔵庫の正面図
【図２】本発明の実施の形態１における冷蔵庫の図１における２−２線断面図
【図３】本発明の実施の形態１における冷蔵庫の制御ブロック図
【図４】本発明の実施の形態１における冷蔵庫の収納状況検出動作説明図
【図５Ａ】本発明の実施の形態１における冷蔵庫の動作を示す、時間に対する温度変化を示す図
【図５Ｂ】本発明の実施の形態１における冷蔵庫の動作を示す、時間に対する温度変化を示す図
【図６】本発明の実施の形態１における冷蔵庫の収納量検知制御を示すフローチャート
【図７】本発明の実施の形態１における冷蔵庫の収納量検知制御を利用した冷却運転判定制御を示すフローチャート
【図８】本発明の実施の形態１における、冷蔵庫の収納量検知制御を利用した冷却運転判定制御の他の例を示すフローチャート
【図９】本発明の実施の形態１における冷蔵庫の収納量検知制御を利用した冷却運転判定制御のさらに別の例を示すフローチャート
【図１０】本発明の実施の形態１における冷蔵庫の、温度検知制御後に冷却運転判定を行う制御を示すフローチャート
【図１１Ａ】本発明の実施の形態１における冷蔵庫の収納量変化および温度変化と、冷却運転判定との関係を示す図
【図１１Ｂ】本発明の実施の形態１における冷蔵庫の収納量変化および温度変化と、冷却運転判定との関係を示す図
【図１２】本発明の実施の形態１における冷蔵庫の冷蔵室冷凍室同時冷却時に収納物を投入した際の温度センサの温度挙動を模式的に示す図
【図１３】本発明の実施の形態１における冷蔵庫の冷凍室単独冷却時に、収納物を投入した際の温度センサの温度挙動を模式的に示す図
【図１４】本発明の実施の形態１における冷蔵庫の冷却停止時に、収納物を投入した際の温度センサの温度挙動を模式的に示す図
【図１５】本発明の実施の形態１における冷蔵庫の学習機能を用いた生活パターンの予測と節電運転の開始終了タイミングを説明するための図
【図１６】本発明の実施の形態１における冷蔵庫の学習運転制御を示すフローチャート
【図１７】本発明の実施の形態１における冷蔵庫の学習機能による「まとめ買い日」判定を説明するための図
【図１８】本発明の実施の形態１における別の学習機能を用いた生活パターンの予測と節電運転の開始終了タイミングを説明するための図
【図１９】本発明の実施の形態１における別形態での学習運転制御を示すフローチャート
【図２０】本発明の実施の形態３における収納量検出動作の説明図
【図２１】本発明の実施の形態３における収納量検出動作の説明図
【図２２】本発明の実施の形態４における収納量検出動作の説明図
【図２３】本発明の実施の形態５における冷蔵庫の正面図
【図２４】本発明の実施の形態６における冷蔵庫の正面図
【図２５】本発明の実施の形態６における冷蔵庫の図２４における２５−２５線断面図
【図２６】本発明の実施の形態６における、光量検出動作の説明図
【図２７】本発明の実施の形態６における冷蔵庫の制御ブロック図
【図２８Ａ】本発明の実施の形態６における冷蔵庫の電源投入時の制御フローチャート
【図２８Ｂ】本発明の実施の形態６における冷蔵庫のお出かけ検知Ａの制御フローチャート
【図２８Ｃ】本発明の実施の形態６における冷蔵庫の使用状況判定Ａの制御フローチャート
【図２８Ｄ】本発明の実施の形態６における冷蔵庫のお出かけ検知Ｂの制御フローチャート
【図２８Ｅ】本発明の実施の形態６における冷蔵庫の使用状況判定Ｂの制御フローチャート
【図２８Ｆ】本発明の実施の形態６における冷蔵庫の使用状況判定Ｃの制御フローチャート
【図２８Ｇ】本発明の実施の形態６における冷蔵庫のお出かけ検知Ｂにおける別の例の制御フローチャート
【図２８Ｈ】本発明の実施の形態６における冷蔵庫の使用状況判定Ｄの制御フローチャート
【図２９Ａ】本発明の実施の形態６における冷蔵庫の基本的な除霜タイミングの動作イメージ図
【図２９Ｂ】本発明の実施の形態６における冷蔵庫の帰宅時の除霜タイミングの動作イメージ図
【図２９Ｃ】本発明の実施の形態６における冷蔵庫の除霜時間にタイムセーフがあった場合の動作イメージ図
【図２９Ｄ】本発明の実施の形態６における冷蔵庫において、除霜中に不在になった場合の動作イメージ図
【図３０】本発明の実施の形態７における除霜タイミングの動作イメージ図
【図３１Ａ】本発明の実施の形態７における制御フローチャート
【図３１Ｂ】本発明の実施の形態７における制御フローチャート
【図３２Ａ】本発明の実施の形態８における制御フローチャート
【図３２Ｂ】本発明の実施の形態８における制御フローチャート
【図３３Ａ】本発明の実施の形態９における制御フローチャート
【図３３Ｂ】本発明の実施の形態９における制御フローチャート
【図３４】従来の冷蔵庫の要部正面図
【図３５】従来の冷蔵庫の温度センサ等の構成部品の挙動を模式的に示す図
【発明を実施するための形態】
【００２２】
請求項１に記載の発明は、断熱壁と断熱扉によって区画され収納物を収納する収納室と、前記収納室内の収納量を推定する収納量推定部と、前記収納量推定部の推定結果を記憶する記憶部と、前記記憶部に記憶された前回までの前記収納量の推定結果を基準データとし、前記基準データと前記収納量推定部の推定結果とに基づいて収納変化量を演算するとともに、予め定められた閾値と前記収納変化量とを比較し、前記収納変化量が前記閾値を越えたときに、収納量が変化したと判断し、前記収納変化量が前記閾値を越えないときには、収納量に変化がないと判断して、前記収納量推定部の推定結果前の記憶部の収納量の基準データを変えずに維持して前記基準データを構築し、前記記憶部の収納変化量データから前記収納室内の将来の収納量の変化を予測する収納量変化予測部と、前記収納量変化予測部の将来の収納量の変化予測データに基づいて電気機能部品の出力動作を制御する演算制御部と、を備えたもので、前記収納量変化予測部は、前記記憶部に記憶された過去の複数週の収納量推定データから将来の一週間の中でのまとめ買い日を特定し、前記まとめ買い日と、まとめ買いでない日とで、前記電気機能部品の出力動作を切り替えて冷却量を制御するものであり、収納室内の将来の収納量の変化を予測して適切に対応することができ、省エネ性を高めながら、保鮮性を向上した使い勝手のよい冷蔵庫を提供することができる。
【００２３】
請求項２に記載の発明は、請求項１に記載の発明において、扉開閉検知部をさらに備え、前記演算制御部は、前記記憶部に記憶された扉開閉データに基づいて、利用者の未使用時間帯を予測し、前記未使用時間帯の終了時間の所定時間前から前記収納室内の冷却量を高めるものであり、使用状況を踏まえ、さらに省エネ性を向上した使い勝手のよい冷蔵庫を提供することができる。
【００２４】
請求項３に記載の発明は、請求項１に記載の発明において、温度検知部をさらに備え、前記演算制御部は、前記記憶部に記憶された一定期間の温度データに基づいて、利用者の熱負荷時間帯を予測し、前記熱負荷時間帯の開始時間の所定時間前から前記収納室内の冷却量を高めるものであり、使用状況を踏まえ、さらに保鮮性を向上した使い勝手のよい冷蔵庫を提供することができる。
【００２５】
以下、本発明の実施の形態について、図面を参照しながら説明する。なお、この実施の形態によってこの発明が限定されるものではない。
【００２６】
（実施の形態１）
以下、本発明の実施の形態１について説明する。
【００２７】
図１は、本発明の実施の形態１における冷蔵庫５０の正面図である。
【００２８】
図１に示したように、冷蔵庫５０は、冷蔵庫本体１１を備えている。冷蔵庫本体１１は断熱箱体であり、主に鋼板を用いた外箱と、ＡＢＳ等の樹脂で成形された内箱と、外箱と内箱との空間には、ウレタン等の断熱材とを有する構造で、周囲とは断熱されている。
【００２９】
冷蔵庫本体１１は、複数の貯蔵室に断熱区画されている。最上部には、冷蔵室１２が設けられ、冷蔵室１２の下部には製氷室１３および切換室１４が横並びに設けられている。製氷室１３および切換室１４の下部には冷凍室１５、最下部には野菜室１６が、それぞれ配置されている。
【００３０】
各貯蔵室の前面には、外気と区画するための扉が、冷蔵庫本体１１の前面開口部に構成されている。冷蔵室１２の冷蔵室扉１２ａの中央部付近には、各室の庫内温度設定や、製氷および急速冷却等の設定を行うための操作部１７と、使用者にさまざまな情報を報知するための報知手段の一例である表示部９１とが配置されている。
【００３１】
図２は、本発明の実施の形態１における冷蔵庫５０の、図１における２−２線断面図である。
【００３２】
図２に示したように、冷蔵室１２内には、複数の収納棚１８が設けられ、一部の収納棚１８は、上下に可動できるように構成されている。
【００３３】
また、冷蔵室１２内には、ランプや複数のＬＥＤ等で構成された照明部１９、ならびに、ＬＥＤ等の発光部２０および照度（光）センサ等の光量検知部２１で構成された収納状況検知部が設けられている。
【００３４】
照明部１９は、冷蔵庫５０内の扉開放側前面から見て、庫内の奥行寸法の１／２より手前で、かつ、収納棚１８の先端よりも前方（手前）に位置するように、左側壁面および右側壁面にそれぞれ縦方向に配置されている。また、発光部２０は、照明部１９と近接する位置に隣接配置されており、光量検知部２１は、冷蔵室１２内の後方位置に配置されている。
【００３５】
なお、光量検知部２１の配置は、上述の例に限定されず、収納物３３（図４参照）、および、庫内の構造物を介して、発光部２０により照射される光を受光可能な位置に配置されている限り、庫内の何れの位置に配置しても構わない。
【００３６】
冷蔵室１２内の最上部の後方領域に形成された機械室内には、圧縮機３０、および、水分除去を行うドライヤ等の冷凍サイクルの高圧側構成部品が収納されている。
【００３７】
冷凍室１５の背面には、冷気を生成する冷却室が設けられ、冷却室内には、冷却器、および、冷却器で冷却した冷却手段である冷気を、冷蔵室１２、切換室１４、製氷室１３、野菜室１６および冷凍室１５に送風する冷却ファン３１（図３参照）が配置されている。また、冷却器やその周辺に付着する霜や氷を除霜するためにラジアントヒータ（除霜部６８（図３参照））、ドレンパンおよびドレンチューブ蒸発皿等が構成されている。
【００３８】
冷蔵室１２は、冷蔵保存を行うために、凍らない温度を下限として通常１℃〜５℃に温度制御され、最下部の野菜室１６は、冷蔵室１２と同等または若干高い２℃〜７℃に温度制御されている。
【００３９】
また、冷凍室１５は、冷凍温度帯に設定されており、冷凍保存のために通常−２２℃〜−１５℃に温度制御されているが、冷凍保存状態の向上のために、例えば−３０℃や−２５℃の低温に温度制御されるように設定される場合もある。
【００４０】
製氷室１３は、冷蔵室１２内の貯水タンク（図示せず）から送られた水により、室内上部に設けられた自動製氷機（図示せず）で氷をつくり、室内下部に配置した貯氷容器（図示せず）に貯蔵する。
【００４１】
切換室１４は、１℃〜５℃に設定される冷蔵温度帯、２℃〜７℃に設定される野菜温度帯、通常−２２℃〜−１５℃に設定される冷凍の温度帯以外にも、冷蔵温度帯から冷凍温度帯の間で予め設定された温度帯に切り換えることができる。切換室１４は、製氷室１３に並設された、独立扉を備えた貯蔵室であり、引き出し式の扉を備えることが多い。
【００４２】
なお、本実施の形態では、切換室１４を、冷蔵および冷凍の温度帯を含めた温度に調整可能な貯蔵室であるとしているが、冷蔵機能は冷蔵室１２と野菜室１６に、冷凍機能は冷凍室１５に、それぞれ委ねて、冷蔵と冷凍の中間の温度帯のみの切り換えに特化した貯蔵室としてもよい。また、特定の温度帯、例えば、近年冷凍食品の需要が多くなってきたことに伴い、冷凍に固定された貯蔵室としてもよい。
【００４３】
以上のように構成された冷蔵庫５０について、その動作および作用を説明する。
【００４４】
図３は、本発明の実施の形態１における冷蔵庫５０の制御ブロック図である。
【００４５】
図３に示したように、冷蔵庫５０は、光量検知部２１、温度センサ６１、扉開閉検知部６２、演算制御部２２、発光部２０、圧縮機３０、冷却ファン３１、温度補償ヒータ３２、ダンパ６７、除霜部６８および表示部９１を備えている。
【００４６】
なお、外部環境を測定するために、外気温度センサ６３および庫外照度センサ７２をさらに備えていてもよいが、必須ではない。
【００４７】
また、演算制御部２２は、収納量推定部２３、温度情報判定部７０、扉開閉情報判定部７１、比較情報判定部２４、変化情報判定部２５、記憶部６４、運転開始判定部６５および運転終了判定部６６を有している。
【００４８】
本実施の形態の冷蔵庫５０は、扉開閉動作が行われると扉開閉検知部６２により開動作または閉動作を検知し、その信号をマイコン等で構成される演算制御部２２に入力し、扉開閉情報判定部７１によって、扉の開閉動作が判定される。扉が閉じたと判定された場合には、演算制御部２２は、あらかじめ決められたプログラムにより、発光部２０を順次動作させる。
【００４９】
光量検知部２１は、近傍の光量を検知し、その情報を演算制御部２２に入力し、収納量推定部２３によって収納量や収納物の位置等の収納情報が得られる。
【００５０】
得られた収納情報は、比較情報判定部２４によって、例えば、扉開閉動作前後の収納情報の比較がなされ、その結果、比較情報が得られる。
【００５１】
次に、変化情報判定部２５によって、比較情報と所定の閾値とが比較されて、収納量や収納物の位置等の収納情報の変化情報が得られる。
【００５２】
そして、演算制御部２２の運転開始判定部６５は、得られた変化情報に基づいて、節電運転・急冷運転の開始判断を行い、冷却運転にまつわる圧縮機３０、冷却ファン３１、温度補償ヒータ３２、ダンパ６７、除霜部６８、および表示部９１の動作を決定し、運転を開始する。また、演算制御部２２の運転終了判定部６６は、節電運転・急冷運転の終了判断を行い、上述した各構成要素の運転を終了させる。
【００５３】
ここで、収納状況検知手段を構成する発光部２０および光量検知部２１の動作を詳細に説明する。
【００５４】
図４は、本発明の実施の形態１における冷蔵庫５０の収納状況検出動作を説明するための図である。
【００５５】
冷蔵庫５０の左右両壁面に配置された発光部２０から出力された照射光３４ａは、冷蔵室１２内および冷蔵室１２内部に収納された収納物３３を照射する。また、この照射光３４ａの一部は、冷蔵室１２内に配置した光量検知部２１に入射する。図４は、冷蔵室１２内に収納物３３が収納されている場合に、収納物３３の存在により、左右両壁面からの照射光３４ａが共に遮蔽される領域Ａ、何れか一方の照射光３４ａが遮蔽される領域Ｂ、および左右の何れの照射光３４ａも遮蔽されない領域Ｃが発生する様子を示している。
【００５６】
この場合、光量検知部２１は、何れか一方の照射光３４ａが遮蔽される領域Ｂにあり、該当する光量を検知して出力する。また、収納物３３の量が多い場合には、共に遮蔽される領域Ａが増加するため、光量検知部２１の検知光量は減少する。
【００５７】
また、収納量が少ない場合には、何れの照射光３４ａも遮蔽されない領域Ｃが増加するため、光量検知部２１の検知光量は増加する。
【００５８】
このように、収納物３３の存在、および収納物３３の量の違いに起因した光量変化を光量検知部２１で検出し、検知結果を、予め設定した所定の閾値を用いて判別することにより、庫内の収納物３３の量（例：多いか少ないか）を分類することができる。
【００５９】
なお、発光部２０を、冷蔵庫５０内に設けられている照明部１９と兼用する、または、発光部２０の基板と照明部１９の基板とを兼用することにより、新たな光源、材料を設けることなく、より簡易な構成で収納状態の検知が可能となる。
【００６０】
次に、冷蔵庫５０の貯蔵室の温度制御の動作を説明する。
【００６１】
図５Ａおよび図５Ｂは、本発明の実施の形態１における冷蔵庫５０の動作を示す、時間に対する温度変化を示す図である。
【００６２】
図５Ａは、収納量の増加量が標準よりも多い場合の冷蔵庫５０の温度変化を示し、図５
Ｂは、収納量の増加量が標準より少ない場合の冷蔵庫５０の温度変化を示している。なお、実線は、本実施の形態における庫内の収納物３３の温度および貯蔵室の代表温度を示し、破線は従来の冷蔵庫の制御を行った場合の収納物３３の温度および貯蔵室の代表温度の時間依存性を示している。
【００６３】
設定温度Ｋｏは、予め設定した収納物３３の保存温度である。収納量の増加量が標準よりも多い場合および少ない場合に、収納量推定部２３における収納量の判別結果に基づいて、演算制御部２２が、冷蔵庫５０の運転状態を切り換えるものとする。なお、説明を簡単にするため、それぞれの収納物３３の種類は、同じであるとしている。また、収納量の増加量の「多い・標準・少ない」の判定基準は、冷蔵庫のサイズ・構成・制御方式によって異なるため、本明細書中に示した例に限定されるものではない。
【００６４】
図５Ａにおいて、収納物３３を貯蔵室に保存するために、冷蔵庫５０の扉を開け、食品等の収納物３３を貯蔵室に投入して扉を閉めると想定する。そうすると、同種の収納物３３を標準よりも多く収納した場合には、光量検知部２１の検知光量は標準の場合よりも減少する。この検知光量の減少の度合いにより、変化情報判定部２５は、庫内の収納量の増加量が多いと判別する。この場合、図５Ａに示すように、従来の冷却運転（破線）では、収納物が保持する熱容量が多く、また、従来の温度検知手段では時間遅れ等が発生するため、急速に冷却量を増加させることはできない。このため、ある程度温度上昇が生じ、その後冷却量が増加し、冷却に転じ、設定温度Ｋｏに近づくが、冷却量が増加しているためある程度の過冷状態を生じ、その後Ｋｏで安定する。
【００６５】
一方、本実施の形態の冷蔵庫５０は、扉閉時に食品の投入量を迅速に検知することができるので、例えばある一定の収納量増加以上の増加を検知したときは、急速に冷却量を増加させて、庫内温度の上昇を抑えるとともに、投入した収納物３３を急速に冷却することができる。また、過冷防止のために、設定温度近傍に到達すれば冷却量を減少させることもできる。これにより、過冷状態を防止して節電を図ることができる。
【００６６】
また、収納量の増加量が標準よりも少ない場合には、光量検知部２１の検知光量は標準の場合よりも増加する。この検知光量の増加の度合いにより、変化情報判定部２５は、庫内の収納量の増加量が少ないと判別する。
【００６７】
この場合、図５Ｂに示すように、従来の冷却運転（破線）では、収納物３３が設定温度に至るまでの時間が早く、必要以上に電力を消費して冷却運転を行ってしまう場合がある。また、扉開閉等の信号によって冷却量を増加させて、過冷状態になってしまう場合もある。
【００６８】
よって、既定した時間内に設定温度に至るように、演算制御部２２は、圧縮機３０の回転数を抑制、または冷気の循環量を低減し、節電運転に自動的に切り換える。この動作により、庫内の温度挙動を緩慢にすることにより省エネルギー化効果が得られるとともに、冷却ファン３１の回転速度を抑制する等の静音化を図ることができる。
【００６９】
次に、発光部２０および光量検知部２１を使った収納量検知制御を説明する。  図６は、本発明の実施の形態１における冷蔵庫５０の収納量検知制御を示すフローチャートである。
【００７０】
図６において、演算制御部２２は、通常のメイン制御（Ｓ１００）から、扉開閉動作を検知した場合には（Ｓ１０１）、扉が閉状態であることを確認し（Ｓ１０２）、閉状態であれば、収納量検知制御（Ｓ１０３）をスタートさせる。
【００７１】
収納量検知制御（Ｓ１０３）においては、複数ある発光部２０を順次点灯し（Ｓ１０４）、その都度、光量検知部２１は光量や照度を検知して、演算制御部２２に出力する（Ｓ１０５）。
【００７２】
そして、収納量推定部２３で貯蔵室の収納情報が得られる（Ｓ１０６）。そして、比較情報判定部２４で、扉開閉動作前後、過去複数回の扉開閉動作前後、または、一定時間前後の収納情報の比較がなされ、比較情報が得られる（Ｓ１０７）。  そして、変化情報判定部２５によって、ステップＳ１０６で得られる収納情報とステップＳ１０７で得られる比較情報とに基づいて、収納状況の変化情報が得られる（Ｓ１０８）。そして、得られた収納状況の変化情報を記憶部６４に記憶し（Ｓ１０９）、ある一定期間のデータベースを構築する。
【００７３】
そして、そのデータベースに基づいて、演算制御部２２は、冷却運転の判別制御を行う（Ｓ１１０）。
【００７４】
次に、前述した収納量検知制御にもとづいて、冷却運転制御を行う具体例について、図７から図９を用いて説明する。
【００７５】
図７は、本発明の実施の形態１における冷蔵庫５０の収納量検知制御を利用した冷却運転判定制御を示すフローチャートである。図７の例では、収納物３３の収納量の相対評価を行っている。
【００７６】
図７において、メイン制御（Ｓ１１０）中に、扉開閉動作が検知される（Ｓ１１１）と、収納検知制御（Ｓ１１２）が開始される。
【００７７】
具体的には、図６のステップＳ１０４〜Ｓ１０９に示したように、収納情報と比較情報とに基づいて収納状況の変化情報が得られる。
【００７８】
次に、演算制御部２２は、変化情報から得た収納変化量データＡに対して閾値判定を行う（Ｓ１１３）。そして、収納変化量データＡが、事前に設定した基準収納変化量Ｂを超えると判定した場合（Ｓ１１４，Ｙｅｓ）、運転開始判定部６５が急冷運転を行う（Ｓ１１６）。急冷運転では、例えば、圧縮機３０の回転数を増加させることにより冷媒循環量を増加させて、冷却量を増加させたり、冷却ファン３１の回転数を増加させて、風量を増やしたり、冷蔵室ダンパ６７ａの開度を大きくしたりする等の動作を行う。
【００７９】
一方、収納変化量データＡが、事前に設定した基準収納変化量Ｂ以下であると判定した場合（Ｓ１１４，ＮＯ）には、演算制御部２２は、収納変化量データＡが事前に設定した基準収納変化量Ｃ（Ｃ＜Ｂ）よりも小さいか否かを判定する。収納変化量データＡが事前に設定した基準収納変化量Ｃよりも小さい場合（Ｓ１１５，ＹＥＳ）には、運転開始判定部６５が節電運転を行う（Ｓ１１７）。節電運転では、例えば圧縮機３０の回転数を低下させることにより冷媒循環量を減少させて、冷却量を低下させたり、冷却ファン３１の回転数を減少させて風量を絞ったり、冷蔵室ダンパ６７ａの開度を小さくしたりする等の動作を行う。それ以外の場合（Ｓ１１５，ＮＯ）には、通常運転を継続する（Ｓ１１８）。
【００８０】
ステップＳ１１７、または、ステップＳ１１８に移行した場合には、次に、温度検知制御へ移行する（Ｓ１１９）。なお、基準収納変化量Ｂと基準収納変化量Ｃとは（Ｃ＜Ｂ）の関係を満たす。
【００８１】
また、収納量の変化情報から得られる収納変化量データＡとしては、扉開閉動作前後の光量検知部２１での照度減衰に関連する受光量の絶対変化量、相対変化量、変化割合、あ
るいは変化パターンを用いることができる。変化パターンによって判定を行う場合には、収納量を例えば、「大・中・小」等の複数段階に分類して、扉開閉前後の収納量が「小→大」や「小→中」に変化したことを判定し、この収納変化パターンに合わせて、演算制御部２２が冷却量を調節することができる。
【００８２】
上述した例においては、冷蔵庫５０は、断熱壁と断熱扉とによって区画され、収納物３３を収納する収納室である冷蔵室１２を備えている。また、冷蔵庫５０は、収納室内の収納量を推定する収納量推定部２３と、収納量推定部２３の推定結果を記憶する記憶部６４とを備えている。また、冷蔵庫５０は、記憶部６４に記憶された前回までの収納量の推定結果と、収納量推定部２３の推定結果とに基づいて収納変化量を演算し、電気機能部品の出力動作を制御する演算制御部２２を備えている。また、演算制御部２２は、予め定められた閾値と収納変化量とを比較し、収納変化量が閾値を越えたときに収納量が変化したと判断し、電気機能部品の出力動作を制御する。
【００８３】
この例では、収納変化量（相対値）が閾値を越えたときに、収納量が変化したと判断して出力制御を行う。これにより、省エネルギーを意識した運転率をアップし（換言すれば、収納量の変化が少ない場合は、設定温度を高めた節電運転状態を維持し）、実使用時の省エネルギー性を高めることができる。また、閾値を用いることで、頻繁なＯＮ／ＯＦＦ運転による電気機能部品の出力動作のチャタリングや圧縮機３０のトリップ現象を防止することができる。さらに、予め定められた閾値と収納変化量とを比較して、閾値を越えた時に収納量が変化したと判断することにより、収納量推定部２３が潜在的に持つ特有のバラツキを吸収でき、適切に出力側を制御することができる。
【００８４】
また、収納変化量が閾値を越えない場合には、演算制御部２２は、電気機能部品の出力動作を変更しない構成としてもよい。この構成によれば、収納変化量が閾値を越えない場合には、収納量に変化がないと判定して、収納量推定部２３の推定結果前の記憶部６４の収納量を維持することで、小さな変化（小分け収納）に適切に対応することができる。
【００８５】
さらに、電気機能部品としては、収納室内の冷却量を変化させる冷却ファン３１、ダンパ６７および圧縮機３０の少なくともひとつを含むことができる。これにより、省エネルギー化を意識した運転率を向上し、実使用時の省エネルギー性を向上することができるとともに、収納量増加により、冷却能力が必要となった場合には、庫内温度上昇検知に比べリアルタイムに素早くキャッチすることができ、すばやい冷却能力アップで食品の温度上昇の抑制が可能となる。さらに負荷減少時のオーバーシュート（冷え過ぎ）を抑制でき、省エネ性を向上することができる。
【００８６】
具体的な冷却能力アップとしては、圧縮機３０の回転数を上げたり、冷却ファン３１の回転数を上げたり、ダクト内のダンパ６７の開度を高めたりする。
【００８７】
また、収納量増加した場合は、冷却能力アップに対応して、冷凍サイクルの凝縮能力も高める必要があり、凝縮器用ファンの回転数も高めることが望ましい。
【００８８】
また、収納量増加した場合は、庫内の温度も一時的に上昇するので、冷蔵庫前面開口部に備えた発汗防止用のヒータ等も収納量増加に応じて、発熱量を低減してもよい。この場合、更なる省エネを図ることができる。
【００８９】
図８は、本発明の実施の形態１における、冷蔵庫５０の収納量検知制御を利用した冷却運転判定制御の他の例を示すフローチャートである。
【００９０】
図８の例においては、収納物３３の収納量の絶対評価を行っている。
【００９１】
図８において、メイン制御（Ｓ１２０）を行っている際に、扉開閉動作が検知される（Ｓ１２１）と、収納量検知制御（Ｓ１２２）がスタートする。収納量検知制御においては、収納量推定部２３によって収納情報が得られる。この例では、比較情報および変化情報の算出は行わない。よって、この例では、比較情報判定部２４および変化情報判定部２５は必ずしも必要ではない。
【００９２】
次に、演算制御部２２は、収納情報から得られた収納量データＧに対して閾値判定を行う（Ｓ１２３）。収納量データＧが、事前に設定した基準収納量Ｈより多いと判定した場合（Ｓ１２４，ＹＥＳ）、運転開始判定部６５が急冷運転を行う（Ｓ１２６）。
【００９３】
一方、収納量データＧが、事前に設定した基準収納量Ｈ以下であり（Ｓ１２４、ＮＯ）、収納量データＧが事前に設定した基準収納量Ｉよりも小さい場合（Ｓ１２５，ＹＥＳ）には、運転開始判定部６５が節電運転を行う（Ｓ１２７）。それ以外の場合（Ｓ１２５，ＮＯ）には、通常運転を継続する（Ｓ１２８）。ステップＳ１２７、または、ステップＳ１２８に移行した場合には、温度検知制御へ移行する（Ｓ１２９）。なお、基準収納量Ｈと基準収納量ＩとはＩ＜Ｈの関係を満たすものとする。
【００９４】
図９は、本発明の実施の形態１における冷蔵庫５０の収納量検知制御を利用した冷却運転判定制御のさらに別の例を示すフローチャートである。
【００９５】
図９においても、収納物３３の収納量の絶対評価を行う例を示している。
【００９６】
図９においては、メイン制御（Ｓ１３０）中に、扉開閉動作が検知される（Ｓ１３１）と、基準収納量データＪを記憶部６４より読み込む（Ｓ１３２）。
【００９７】
このとき、記憶部６４には、ある一定期間（例えば３週間分）の収納量のデータが記憶されているものとする。この収納量のデータを演算し、基準収納量データＪを算出する。
【００９８】
次に、収納量検知制御をスタートし（Ｓ１３３）、収納情報を判定する。そして、収納情報から得た収納量データＫに対して閾値判定を行う（Ｓ１３４）。収納量データＫが、基準収納量データＪに決められた係数α（例えば１．１５）を乗じた値よりも大きい場合（Ｓ１３５，ＹＥＳ）、運転開始判定部６５は急冷運転を行う（Ｓ１３７）。一方、収納量データＫが、基準収納量データＪに決められた係数α（例えば１．１５）を乗じた値以下の場合（Ｓ１３５，Ｎｏ）であって、収納変化量データＫが、基準収納量データＪに決められた係数β（例えば１．０５）を乗じた値より小さい場合（Ｓ１３６，ＹＥＳ）に、運転開始判定部６５は節電運転を行う（Ｓ１３８）。それ以外の場合（Ｓ１３５，ＮＯ）には、通常運転を継続する（Ｓ１３９）。そして、ステップＳ１３８、ステップＳ１３９に移行した場合には、次に温度検知制御へ移行する（Ｓ１４０）。
【００９９】
ここで、係数αおよび係数βは、β＜αの関係を満たす。
【０１００】
上述の例において、冷蔵庫５０は、断熱壁と断熱扉によって区画され収納物を収納する収納室と、収納室内の収納量を予め保有する基準値を基に推定する収納量推定部２３とを有している。また、収納量推定部２３の推定結果に基づいて、収納室内の収納量を演算し、電気機能部品の出力動作を制御する演算制御部２２を備えている。そして、演算制御部２２は、予め定められた閾値と収納量とに基づいて電気機能部品の出力動作を制御する。
【０１０１】
これにより、収納量推定に適する部分のみを演算に用いることができ、出力動作の適正化を図ることができる。また、絶対量を出力することができるので、時系列に、または、
相対比較で生じるばらつきを考慮する必要がない。
【０１０２】
また、閾値を複数保有し、複数の閾値に基づいて収納室内の収納量を複数のグループに判別し、電気機能部品の出力動作を制御する構成とすることもできる。
【０１０３】
これにより、複数の閾値に基づいて、収納室内の収納量を複数のグループに判別して出力することができ、制御の簡素化、表示機能等の使い勝手向上を図ることができる。
【０１０４】
次に、図７から図９までに説明した温度検知制御Ｓ１１９，Ｓ１２９，Ｓ１４０について説明する。
【０１０５】
図１０は、本発明の実施の形態１における冷蔵庫５０の、温度検知制御後に冷却運転判定を行う制御を示すフローチャートである。
【０１０６】
図１０において、温度検知制御がスタートすると、所定時間経過しているかが確認される（Ｓ１４１）。経過していない場合には、経過するまで待機する（Ｓ１４１，ＮＯ）。
【０１０７】
所定時間が経過した場合（Ｓ１４１，ＹＥＳ）には、温度センサ６１（図３参照）で冷蔵庫内の温度を検知する。温度情報判定部７０によって温度情報が判定され（Ｓ１４３）、判定された情報は、記憶部６４に記憶され、ある一定期間のデータベースが構築される（Ｓ１４４）。
【０１０８】
次に、温度情報から得られた温度情報データＤに対して閾値判定が行われる（Ｓ１４５）。温度情報データＤが事前に設定した基準温度Ｅよりも高い場合（Ｓ１４６，ＹＥＳ）、運転開始判定部６５が急冷運転を行う（Ｓ１４８）。一方、温度情報データＤが事前に設定した基準温度Ｅ以下の場合（Ｓ１４６，Ｎｏ）、かつ、温度情報データＤが事前に設定した基準温度Ｆよりも低い場合（Ｓ１４７，ＹＥＳ）には、運転開始判定部６５が節電運転を行う（Ｓ１４９）。これ以外の場合（Ｓ１４７，ＮＯ）には、通常運転を継続する（Ｓ１５０）。なお、基準温度Ｅおよび基準温度Ｆは、Ｅ＞Ｆの関係を満たすものとする。
【０１０９】
以上の動作により、買物時の食品収納量変化および冷蔵庫の使用状況に対応した自動急冷、自動節電の冷却運転が実現できる。
【０１１０】
次に、収納量変化および温度変化の判定結果による冷却運転判定について説明する。
【０１１１】
図１１Ａおよび図１１Ｂは、本発明の実施の形態１における冷蔵庫５０の収納量変化および温度変化と、冷却運転判定との関係を示す図である。
【０１１２】
なお、図１１Ａおよび図１１Ｂにおいて、基準収納変化量Ｂおよび基準収納変化量Ｃの間、および、基準温度Ｅおよび基準温度Ｆの間については、それぞれ通常運転が行われるので、図示を省略している。
【０１１３】
なお、図１１Ａに示したように、扉開閉前後の収納量変化を検知・判定して、例えば、得られた収納変化量データＡが、事前に設定した基準収納変化量Ｂよりも大きい場合には急冷運転が行われる。
【０１１４】
一方、得られた収納変化量データＡが、事前に設定した基準収納変化量Ｂ、および事前に設定した基準収納変化量Ｃよりも小さい場合には、基本的に節電運転を行う。
【０１１５】
図１１Ａに示したように、温度センサ６１によって得られる温度情報を検知・判定し、例えば、得られた温度情報データＤが事前に設定した基準温度Ｅよりも大きい場合には急冷運転を行う。一方、得られた温度情報データＤが事前に設定した基準温度Ｅ、および事前に設定した基準温度Ｆよりも小さい場合には、節電運転を行う。
【０１１６】
なお、基準収納変化量Ｂ、基準収納変化量Ｃ、基準温度Ｅおよび基準温度Ｆは外気温、または収納量別に設定してもよい。例えば、外気温が低い場合には、扉開閉や食品投入があった場合でも庫内温度が上昇しにくいので、基準温度Ｅまたは基準温度Ｆを高く、基準収納変化量Ｂまたは基準収納変化量Ｃを大きく設定し、節電運転に入りやすくすることで、省エネルギー化を実現することができる。逆に、外気温が高い場合には、扉開閉や食品投入により庫内温度が高くなるので、基準温度Ｅまたは基準温度Ｆを低く、基準収納変化量Ｂまたは基準収納変化量Ｃを小さく設定し、急冷運転に入りやすくすることで、収納物の高い保鮮性を実現することができる。
【０１１７】
また、冷蔵庫５０内の収納量が多い場合には、食品の蓄冷効果により扉開閉や食品投入があった場合でも庫内温度が上昇しにくいので、基準温度Ｅまたは基準温度Ｆを高く、基準収納変化量Ｂまたは基準収納変化量Ｃを多く設定し、節電運転に入りやすくすることで、省エネルギー化を実現することができる。逆に、冷蔵庫５０内の収納量が少ない場合には、扉開閉や食品投入により庫内温度が高くなるので、基準温度Ｅまたは基準温度Ｆを低く、基準収納変化量Ｂまたは基準収納変化量Ｃを小さく設定し、急冷運転に入りやすくすることで、収納物の高い保鮮性を実現することができる。
【０１１８】
また、図１１Ｂに示したように、収納変化量、または庫内の温度上昇に合わせて、基準温度Ｅ，Ｆ、または基準収納変化量Ｂ，Ｃの設定を変更してもよい。
【０１１９】
例えば、まとめ買い等により収納量が大きく増加した場合や、加熱した後の調理品を冷蔵庫で保存する等収納量の増加は少ないが冷蔵庫５０内の温度に大きく影響を与える場合に急冷運転を行う。また、食品を小分けにして冷蔵庫５０に収納する等、一回の扉開閉前後の収納量の増加は少ないが徐々に冷蔵庫５０内の温度が変化する場合や、半ドア等、長時間、冷蔵庫５０の扉が開けられたことによって冷蔵庫５０内の温度が大きく変化した場合等にも、急冷運転を行う。これによって、収納物３３を短時間で最適保存温度まで冷やすので、収納物３３の高い保鮮性を実現することができる。
【０１２０】
一方、例えば、冷蔵庫５０の収納物を確認するだけの場合や、飲み物を取り出す、戻す等収納量の変化が少なく、かつ冷蔵庫内の温度変化が小さい場合には、節電運転を行うことで、「冷えすぎ」を防止し、各家庭の生活パターンに合わせた最適な冷却運転を実現できる。
【０１２１】
上述の例においては、冷蔵庫５０は、断熱壁と断熱扉によって区画され収納物を収納する収納室と、収納室内の温度を検知する温度検知手段である温度センサ６１と収納室内の収納量を推定する収納量推定部２３とを備えている。また、冷蔵庫５０は、収納量推定部２３の推定結果を記憶する記憶部６４と、収納室内を冷却する冷却部と、温度センサ６１と収納量推定部２３と記憶部６４との入力データに基づいて演算し冷却部を制御する演算制御部２２とを備えている。演算制御部２２は、通常運転時は温度センサ６１の温度に基づいて冷却部の出力動作を制御するとともに、収納室内の収納量が変化したと判断した場合には温度変化よりも優先して冷却部を制御する。
【０１２２】
これにより、収納量変化をサーミスタのみによって検知する場合と比べて、リアルタイムに素早く検知することができ、すばやい冷却能力制御で食品の温度上昇の抑制が可能である。また、負荷減少時のオーバーシュート（冷え過ぎ）を抑制でき、省エネルギー性の
向上が図れる。
【０１２３】
次に、図１２から図１４を用いて、急冷運転および節電運転について詳細を説明する。
【０１２４】
図１２は、本発明の実施の形態１における冷蔵庫５０の冷蔵室冷凍室同時冷却時に収納物を投入した際の温度センサ６１の温度挙動を模式的に示す図であり、図１３は、冷蔵庫５０の冷凍室単独冷却時に、収納物を投入した際の温度センサ６１の温度挙動を模式的に示す図であり、図１４は、冷蔵庫５０の冷却停止時に、収納物を投入した際の温度センサ６１の温度挙動を模式的に示す図である。
【０１２５】
急冷運転には２つの方法がある。ひとつは、冷蔵室の風量を増加させる方法であり、もうひとつは、冷蔵室の吐出空気温度を低下させる方法である。前者の具体的な手段としては、冷却ファン３１の回転数を上げる、または、冷蔵室１２のダンパ６７の開度を大きくすることで、冷蔵室１２の風量を増加させ、急冷運転を行う。これにより、各家庭の収納状況に合わせて冷却ファン３１の回転数等の最適化を行うことができるので、消費電力量を抑制することができる。一方、後者の具体的な手段としては、圧縮機３０の回転数を増加させることで、冷媒循環量を増加させて、冷蔵室の吐出空気温度が低下し、急冷運転を行う。
【０１２６】
節電運転では、圧縮機３０の回転数を下げることで、冷媒循環量を減少させて、冷蔵庫内への吐出空気温度を上昇させる。これにより、各家庭の収納状況に合わせて圧縮機３０の回転数等の最適化を行うことができるので、消費電力を抑制することができる。
【０１２７】
図１２に示したように、冷蔵室冷凍室同時冷却ａ時に収納物を投入した場合には、従来の冷蔵庫（破線）は、収納物投入から温度センサ６１が温度の上昇を検知するまでに時間差が生じ、温度上昇を検知後、徐々に圧縮機３０の回転数を上げていくため、投入した収納物を目的の温度まで冷やすのに時間がかかる。
【０１２８】
また、冷蔵室１２の戻り空気（暖気）が冷却器に戻ることで冷却器の温度が上昇し、冷却器で熱交換された吐出空気温度が上昇することで冷凍室１５内の温度も上昇し、収納物の保鮮性が低下する課題もある。
【０１２９】
本実施の形態の冷蔵庫５０は、扉開閉動作前後の収納量変化量を演算し、所定の閾値より収納量増加量が多ければ、まず、演算制御部２２の冷却パターン識別手段によりその時の冷却パターンが冷蔵室冷凍室同時冷却ａであることを識別し、その後すぐに、圧縮機３０の回転数を増加させる。これにより、冷媒循環量が増加し、冷却能力が上昇し、収納物３３の投入後すぐに冷蔵室１２の吐出空気温度が低下するので、従来の冷蔵庫よりも短時間で、投入した収納物３３を最適保存温度まで冷やすことができる。
【０１３０】
なお、冷凍室のダンパ６７を有する冷蔵庫５０においては、扉開閉動作前後の収納量変化量を演算し、所定の閾値より収納量増加量が多ければ、すぐに冷凍室のダンパ６７を「開→閉」とする動作を行う。これにより、収納物投入による冷蔵室からの温かい空気が冷凍室１５に流れ込むのを防ぐことができる。そして、一定時間後、または冷蔵室１２の温度センサ６１の検知する温度がある所定温度以下、または冷凍室１５の温度センサ６１の検知する温度がある所定温度以上になった時点で、冷凍室１５のダンパ６７を「閉→開」の動作を行う。
【０１３１】
次に、図１３に示すように、冷凍室単独冷却ｂ時に収納物３３を投入した場合には、従来の冷蔵庫は、収納物投入から温度センサ６１が温度の上昇を検知するまでに時間差が生じるので、冷蔵室１２の温度センサ６１が温度の上昇を検知するまでに、冷凍室１５の温
度センサ６１の検知する温度が、所定値のＯＦＦ温度まで到達して圧縮機３０が停止する場合がある。その後、冷蔵室１２の温度センサ６１の検知する温度が、開温度に到達した時点で、冷蔵室１２のダンパ６７を「閉→開」とする制御を行う。これにより、圧縮機３０や冷却ファン３１が駆動して、投入した収納物３３を冷やすので、投入した収納物３３を目的の温度まで冷やすのに時間がかかる。
【０１３２】
一方、本実施の形態の冷蔵庫５０は、扉開閉動作前後の収納量変化量を演算し、所定の閾値より収納量増加量が多ければ、まず、演算制御部２２の冷却パターン識別手段により、その時の冷却パターンが冷凍室単独冷却ｂであることを識別し、その後すぐに、冷蔵室１２のダンパ６７を「閉→開」と動作させる制御を行い、圧縮機３０の回転数を増加させる。これにより、冷蔵室１２に吐出空気が流れるので、従来の冷蔵庫５０よりも短時間で、投入した収納物３３を最適保存温度まで冷やすことができる。
【０１３３】
なお、冷凍室１５のダンパ６７を有する冷蔵庫５０においては、扉開閉動作前後の収納量変化量を演算し、所定の閾値より収納量増加量が多ければ、すぐに冷凍室１５のダンパ６７を「開→閉」とする制御を行うことで、収納物３３の投入による冷蔵室１２からの温かい空気が冷凍室１５に流れ込むのを防ぐことができる。そして、一定時間後、または冷蔵室１２の温度センサ６１の検知する温度が、ある所定温度以下、または冷凍室１５の温度センサ６１の検知する温度がある所定温度以上になった時点で、冷凍室１５のダンパ６７を「閉→開」とする動作を行う。
【０１３４】
次に、図１４に示すように、冷却停止ｃ時に収納物３３を投入した場合には、従来の冷蔵庫は、冷凍室１５の温度センサ６１の検知する温度がＯＮ温度に到達するまで圧縮機３０は駆動しない。その後、冷蔵室１２の温度センサ６１の検知する温度が開温度に到達した時点で、冷蔵室１２のダンパ６７を「閉→開」と動作させる制御を行い、圧縮機３０や冷却ファン３１を駆動して、投入した収納物を冷やすので、投入した収納物３３を目的の温度まで冷やすのに時間がかかる。  一方、本実施の形態の冷蔵庫５０は、扉開閉動作前後の収納量変化量を演算し、所定の閾値より収納量増加量が多ければ、まず、演算制御部２２の冷却パターン識別手段により、その時の冷却パターンが冷却停止ｃであることを識別し、その後、圧縮機３０が一定時間（例えば、１０分間）停止後であれば、温度センサ６１が検知する温度に関係なく、圧縮機３０を高回転で駆動し、冷蔵室１２のダンパ６７を「閉→開」とする動作を行う。これにより、圧縮機３０の起動性を確保しながら、冷蔵室１２を素早く冷却することができるので、従来の冷蔵庫よりも短時間で投入した収納物３３を最適保存温度まで冷やすことができる。
【０１３５】
なお、冷凍室１５のダンパ６７を有する冷蔵庫５０においては、圧縮機３０が停止時に、冷蔵室１２のダンパ６７を「開」、冷凍室１５のダンパ６７を「閉」として、冷却器に付着した霜を使った冷却を行っている場合がある。このとき、収納量の増加を検知した時点で、冷凍室１５のダンパ６７を「閉」のままとし、圧縮機３０の起動性を確保しつつ起動させ、冷蔵室１２の単独運転をおこなうことにより従来の冷蔵庫よりも短時間で投入した収納物３３を最適保存温度まで冷やすことができる。ただし、冷凍室１５の温度センサ６１の検知する温度がある所定温度以上になった時点で、冷凍室１５のダンパ６７を「閉→開」とする動作を行う。
【０１３６】
なお、冷凍室１５のダンパ６７を有する冷蔵庫５０において、冷蔵室単独冷却ｄ時に収納物を投入した場合には、扉開閉動作前後の収納量変化量を演算し、所定の閾値より収納量増加量が多ければ、まず、演算制御部２２の冷却パターン識別部により、その時の冷却パターンが冷蔵室単独冷却ｄであることを識別し、その後、冷蔵室冷凍室同時冷却ａ時と同様に、すぐに圧縮機３０の回転数を増加させる。これにより、冷蔵室１２の吐出空気温度が低下するので、従来の冷蔵庫よりも短時間で投入した収納物３３を最適保存温度まで
冷やすことができる。そして、一定時間後、または冷蔵室１２の温度センサ６１の検知する温度がある所定温度以下、または冷凍室１５の温度センサ６１の検知する温度がある所定温度以上になった時点で冷凍室１５のダンパ６７を「閉→開」とする制御を行う。
【０１３７】
上述した急冷運転は、一定時間経過後、圧縮機３０が停止後、または、冷蔵室１２の温度センサ６１の検知する温度が、ある所定の温度以下になった時点で運転終了判定部６６によって解除され、通常運転、または自動節電の冷却運転を開始する。
【０１３８】
以上の動作により、冷蔵庫５０の冷却パターンに合わせて、最適な自動急冷、自動節電の冷却運転を実現できる。
【０１３９】
なお、本実施の形態の冷蔵庫５０における自動急冷、自動節電の冷却運転については、例えば、庫内温度設定の変更や急凍機能等の、使用者の意志による機能を優先させることも可能である。
【０１４０】
本実施の形態における、学習機能による生活パターンの予測、および、節電運転の開始終了タイミングについて説明する。
【０１４１】
図１５は、本発明の実施の形態１における冷蔵庫５０の学習機能を用いた生活パターンの予測と節電運転の開始終了タイミングを説明するための図である。本実施の形態における学習機能は、得られた温度情報や扉開閉情報、収納情報、または収納状況の変化情報を記憶部６４によって一定期間（例えば、３週間）蓄積することにより、ある一定パターンの生活様式が存在することを演算制御部２２によって判定するものである。この学習結果に基づいた予測によって節電運転の開始および終了タイミングを決定し、電子負荷部品である圧縮機３０、冷却ファン３１、温度補償ヒータ３２、ダンパ６７、除霜部６８、および表示部９１等の動作を自動で制御する節電運転を行う。
【０１４２】
一般に、休日は、頻繁に扉開閉があり、冷蔵庫５０内の熱負荷が大きく、平日は、就業時間中、特に共働き世帯等では、日中は扉開閉がなく、冷蔵庫５０内の熱負荷は小さい。
【０１４３】
図１５に示した例では、１時間を１区画と考え、さらに２４区画でまとめれば１日に相当し、さらに１６８区画でまとめれば１週間（７日）に相当する。
【０１４４】
１区画の間で庫内温度が基準温度Ｅ以上を一定時間継続した時間、収納量増加が基準収納変化量Ｂ以上を検知した時間を記憶する。そして、測定日の１週前、２週前、３週前の学習結果を抽出し、３週間分のうち２／３以上が、庫内温度が基準温度Ｅ以上を一定時間継続した時間帯、または収納量増加が基準収納変化量Ｂ以上を検知した時間帯であれば、その時間帯を「熱負荷大時間」と判定、学習する。なお、庫内温度と収納量増加に加えて、扉開閉回数を学習してもよい。この場合、学習結果から、３週間分のうち２／３以上が１区画の間で冷蔵室１２と冷凍室１５の扉開閉合計回数が一定回数以上（例えば、５回以上）の時間であれば、その時間帯を「熱負荷大時間」と判定、学習することができる。
【０１４５】
また、冷蔵室１２と比較して冷凍室１５の方が庫外との温度差が大きく、扉開閉により庫内の温度が上がりやすいため、３週間分のうち２／３以上が１区画の間で冷凍室１５の扉開閉合計回数が一定回数以上（例えば、２回以上）の時間があれば該当の時間帯を「熱負荷大時間」と判定してもよい。
【０１４６】
なお、一般的な家庭では、１日においてある一定のパターンの生活を行っていることが多く、さらに一週間を単位として同じ曜日においてある一定の生活パターンの生活を行っていることも多い。これらを考慮して冷蔵庫５０の冷却運転を実施することは非常に効果
的であり、節電につながる。データの書き換えは１区間の時間（単位時間：例えば６０分）で更新することが望ましいが、１日単位、もしくは１週間単位でもよい。
【０１４７】
そして、使用者の生活パターンの予測結果から、節電運転の開始終了タイミングを決定する。学習結果により「熱負荷大時間」と判定した時間帯以外の時間は節電運転を行い、「熱負荷大時間」を迎えた時点で節電運転から通常運転に移行する。
【０１４８】
ただし、節電運転から通常運転への移行時間として、実際には、「熱負荷大時間」が開始する所定時間（例えば、１時間）前に節電運転を終了し、通常運転に切り換える。これは「熱負荷大時間」において、例えば、調理の時間帯等の頻繁な扉開閉や、温かい調理品の保存等により、冷蔵庫５０内の温度が高くなると想定されるためである。その後、「熱負荷大時間」の終了を迎えた時点で、庫内温度が基準温度Ｅ以下であれば、再度節電運転を開始する。
【０１４９】
次に、学習運転制御の制御フロー図を説明する。
【０１５０】
図１６は、本発明の実施の形態１における冷蔵庫５０の学習運転制御を示すフローチャートである。
【０１５１】
図１６において、学習運転制御がスタートすると、通常運転であることが確認され（Ｓ１５１）、次に、学習結果により判定した「熱負荷大時間」の終了時間を迎えたかが判定される（Ｓ１５２）。
【０１５２】
「熱負荷大時間」の終了時間であると判定された場合（Ｓ１５２，ＹＥＳ）、現在の冷蔵庫５０内の温度が、基準温度Ｅ以下であるか否かが判定される（Ｓ１５３）。
【０１５３】
ステップＳ１５３において、庫内温度が基準温度Ｅ以下であると判定された場合、通常運転から節電運転に切り替わる（Ｓ１５４）。一方、ステップＳ１５２において「熱負荷大時間」の終了時間でない（Ｓ１５２，ＮＯ）、または、ステップＳ１５３において、庫内温度が基準温度Ｅを超えると判定された場合（Ｓ１５３，ＮＯ）には通常運転を継続する（Ｓ１５１）。
【０１５４】
そして、節電運転であることが確認され（Ｓ１５４）、「熱負荷大時間」開始の所定時間前を迎えたかを判定する（Ｓ１５５）。「熱負荷大時間」開始の所定時間前であると判定された場合（Ｓ１５５，ＹＥＳ）、節電運転から通常運転に切り替わる（Ｓ１５１）。一方、ステップＳ１５５において「熱負荷大時間」開始の所定時間前ではないと判断された場合（Ｓ１５５，ＮＯ）には、節電運転を継続する（Ｓ１５４）。
【０１５５】
以上の動作により、買物時の食品収納量変化、各家庭の収納状況および使用環境をパターン化、学習し、例えば７日間毎にデータを区切ることにより、仮想的に曜日を検知することができる。これにより、冷蔵庫５０の熱負荷が大きいと想定される曜日・時間のみ通常運転を行い、冷蔵庫５０への熱負荷が小さいと想定される曜日・時間は、圧縮機３０や冷却ファン３１の回転数を抑制して「冷えすぎ」を防止することができる。このように、各家庭の生活パターンに合わせて自動で省エネルギー化を実現することができる。
【０１５６】
次に、学習機能による生活パターンの予測と節電運転の開始終了タイミングの別の例について説明する。
【０１５７】
図１７は、本発明の実施の形態１における冷蔵庫５０の学習機能による「まとめ買い日」判定を説明するための図であり、図１８は、本発明の実施の形態１における別の学習機
能を用いた生活パターンの予測と節電運転の開始終了タイミングを説明するための図である。
【０１５８】
図１７に示した例においては、日ごとに、標準収納変化量Ｂ以上の収納量増加があった日を判別している。
【０１５９】
近年増加しているまとめ買い傾向により、買い物回数を例えば週２回と想定する。この場合、一例としては、平日に１回、休日に１回、収納量が増加し、その他の日は、調理等で使用されるため、ある程度、冷蔵室１２内の収納量は減少方向で推移する。
【０１６０】
まとめ買い日には、冷蔵室１２内の収納量増加により、庫内の温度が高くなると想定される。このため、「まとめ買い日」を予測・学習することで、「まとめ買い日」と予測した日は冷却量を増加し、投入した収納物３３を短時間で最適保存温度まで冷やすことができ、収納物３３の高い保鮮性を実現することができる。  また、「まとめ買い日」以外であると予測した日には、冷却量を減らして節電運転を行う。これにより、収納状況や使用状況に合わせて冷却量を調節することができるので、「冷えすぎ」を防止し、各家庭の生活パターンに合わせた最適な冷却運転を行って省エネルギー化を実現できる。
【０１６１】
ここで、「まとめ買い日」の判定方法について説明する。例えば、１日を１区画と考え、さらに７区画でまとめれば１週間（７日）に相当する。その間で基準収納変化量Ｂ以上の収納量増加があった日を記憶する。そして、その日の１週前、２週前、３週前の学習結果を抽出し、過去３週間分のうち２／３以上が標準収納変化量Ｂ以上の収納量増加があった日であれば、該当の曜日を「まとめ買い日」として判定、学習する。図１７に示した例においては、水曜日と土曜日が「まとめ買い日」であると判定されている。
【０１６２】
また、平均収納量からの減少量から「まとめ買い日」を判定、学習してもよい。この場合、一定時間おきの収納量を記憶し、過去３週間分のデータから各家庭の平均収納量を学習し、その時間の収納量が学習した平均収納量よりも一定量以上（例えば、１０％以上）少なくなった場合、その日の次の日を記憶し、過去３週間分のうち２／３以上が該当すれば、該当の曜日を「まとめ買い日」と判定、学習する。
【０１６３】
なお、「まとめ買い日」を学習する際に、朝から次の日の朝、または夜から次の日の夜までを１日として分割する必要がある。冷蔵庫５０に時計機能を追加すれば、１日を分割することは容易であるが、コストアップにつながるデメリットがある。
【０１６４】
そこで、冷蔵庫５０の外に庫外照度センサ７２（図３参照）を配置し、庫外照度センサ７２の検知結果から、夜間を判別することで、１日を分割することができる。例えば、１時間の平均照度が規定値以下（例えば、５Ｌｘ以下）になった時間を就寝が開始した時間と判断し、その時間から平均照度が規定値以上に復帰し、再度平均照度が規定値以下になった時間までを１日と判定する。
【０１６５】
このように判定することで、安価に、かつ正確に１日を分割することができる。また、夜間は冷蔵庫５０の使用が少なく、扉開閉回数が少ない時間が連続すると想定されるため、扉開閉検知部６２の検知結果と庫外照度センサ７２の検知結果とを組み合わせて判定、学習することで、更に精度よく１日を分割することができる。なお、昼夜の温度変化を外気温度センサ６３を用いて検知し、１日を演算することも可能であり、この場合も庫外照度センサ７２を用いた場合と同様に、１日を精度よく分割することが可能である。
【０１６６】
「まとめ買い日」を想定すると、使用者は、買い物後、帰宅してすぐに買い物した食品を冷蔵庫５０内に収納することが多いと考えられる。このため、冷蔵庫５０の扉開閉回数
から、冷蔵庫５０の使用がない「未使用時間」を判定、学習することができる。これにより、「未使用時間」の所定時間前から冷却量を増加させて、投入した収納物３３を短時間で最適保存温度まで冷やすことができる。これにより、収納物３３の高い保鮮性を実現することができる。
【０１６７】
次に、図１８を用いて「未使用時間」の判定方法について説明する。
【０１６８】
図１８に示すように、１区画内における扉開閉回数により、例えば、１時間で一定回数以下（例えば、１回以下）の扉開閉があった時間を記憶し、当該日の１週前、２週前、３週前の学習結果から、３週間分のうち２／３以上において１時間に一定回数以下の扉開閉しかない時間帯であれば、該当の時間帯を「未使用時間」と判定、学習する。
【０１６９】
なお、冷蔵庫５０外に庫外照度センサ７２を配置し、庫外照度センサ７２の検知結果を記憶することで、「未使用時間」の判定精度を更に高めることができる。庫外照度センサ７２の出力から、冷蔵庫５０が設置された周辺が明るいか、暗いかを検知することができるので、主に使用者が活動する可能性の高い昼間であるか、可能性の低い夜間であるかを見分けることができる。
【０１７０】
庫外照度センサ７２で冷蔵庫５０周辺の照度を検知し、その情報を演算制御部２２に出力し、例えば、１区画内の平均照度が規定値以下（例えば、５Ｌｘ以下）であった時間を記憶し、当該日の１週前、２週前、３週前の学習結果から、３週間分のうち２／３以上が１区画内の平均照度が規定値以下（例えば、５Ｌｘ以下）であった時間帯であれば、該当の時間帯を「未使用時間」と判定、学習してもよい。
【０１７１】
このように、使用者の生活パターンの予測結果から、節電運転の開始および終了タイミングを決定する。学習結果により、「まとめ買い日」以外と判定した日は、学習した「熱負荷大時間」以外の時間帯は節電運転を行い、「熱負荷大時間」を迎えた時点で節電運転から通常運転に移行する。これは「熱負荷大時間」が、例えば、調理の時間帯等の頻繁な扉開閉や、温かい調理品の保存等により、冷蔵庫５０内の温度が高くなっているものと想定されるためである。
【０１７２】
ただし、節電運転から通常運転への移行時間として、実際には、「熱負荷大時間」が開始する所定時間（例えば、１時間）前に節電運転を終了し、通常運転に切り替える。これによって、「まとめ買い日」以外と判定した日は、冷蔵庫５０の熱負荷が大きいと想定される時間のみ通常運転を行い、冷蔵庫５０への熱負荷が小さいと想定される時間は、圧縮機３０や冷却ファンの回転数を抑制して、「冷えすぎ」を防止することができる。このように、各家庭の生活パターンに合わせて自動で省エネルギー化を実現することができる。
【０１７３】
また、使用者の生活パターンの予測結果により、「まとめ買い日」と判定した日は、学習した「未使用時間」帯は節電運転を行い、「未使用時間」の終了を迎えた時点で節電運転から通常運転に移行する。これは使用者が買い物から帰宅後、買った品物をすぐに冷蔵庫５０内に収納量する可能性が高く、その際に冷蔵庫５０内の温度が高くなると想定されるためである。ただし、節電運転から通常運転への移行時間として、実際には、「未使用時間」終了の所定時間（例えば、１時間）前に節電運転を終了し、通常運転に切り替える。これによって、「まとめ買い日」と判定した日は調理の時間帯等の頻繁な扉開閉や、温かい調理品の保存等による冷蔵庫内の温度上昇に加えて、まとめ買い等による収納量の増加によって、冷蔵庫内の温度が高くなると想定されるため、「まとめ買い日」以外と判定した日に比べて、節電運転を少なくして、十分な冷却量を確保することにより、収納物の高い保鮮性を実現することができる。
【０１７４】
次に、図１９を用いて「まとめ買い日」を学習する場合における学習運転制御の制御フロー図を説明する。
【０１７５】
図１９は、本発明の実施の形態１における別形態での学習運転制御を示すフローチャートである。
【０１７６】
図１９において、学習運転制御がスタートすると、その日が「まとめ買い日」であるかが学習結果により判定される（Ｓ１６０）。
【０１７７】
「まとめ買い日」であると判定された場合（Ｓ１６０，ＹＥＳ）、通常運転であることが確認される（Ｓ１６２）。
【０１７８】
そして、学習結果により判定した「未使用時間」の開始時間を迎えたかが判定される（Ｓ１６３）。「未使用時間」の開始時間であると判定された場合（Ｓ１６３，ＹＥＳ）、現在の冷蔵庫５０内の温度が基準温度Ｅ以下であるかを判定する（Ｓ１６４）。
【０１７９】
庫内温度が基準温度Ｅ以下であると判定された場合（Ｓ１６４、ＹＥＳ）、通常運転から節電運転に切り替える（Ｓ１６５）。一方、ステップＳ１６３において「未使用時間」の開始時間でない、または、ステップＳ１６４において庫内温度が基準温度Ｅを超えると判定された場合には、通常運転を継続する（Ｓ１６２）。
【０１８０】
節電運転であることが確認された場合（Ｓ１６５）には、次に、「未使用時間」終了の所定時間前を迎えたかが判定される（Ｓ１６６）。「未使用時間」終了の所定時間前であると判定された場合（Ｓ１６６，ＹＥＳ）、節電運転から通常運転に切り替わる（Ｓ１６２）。一方、ステップ１６６において「未使用時間」終了の所定時間前でないと判定された場合には節電運転を継続する（Ｓ１６５）。
【０１８１】
一方、ステップＳ１６０において、その日が「まとめ買い日」でないと判定された場合（Ｓ１６０，ＮＯ）、通常運転であることを確認（Ｓ１７２）し、そして、学習結果により判定した「熱負荷大時間」の終了時間を迎えたかが判定される（Ｓ１７３）。「熱負荷大時間」の終了時間であると判定された場合（Ｓ１７３，ＹＥＳ）、現在の冷蔵庫５０内の温度が基準温度Ｅ以下であるかが判定される（Ｓ１７４）。
【０１８２】
庫内温度が基準温度Ｅ以下であると判定された場合（Ｓ１７４，ＹＥＳ）には、通常運転から節電運転に切り替える（Ｓ１７５）。一方、ステップＳ１７３において「熱負荷大時間」の終了時間でない、または、ステップ１７４において基準温度Ｅを超えると判定した場合には、通常運転を継続する（Ｓ１７２）。
【０１８３】
節電運転であることが確認された場合（Ｓ１７５）、次に、「熱負荷大時間」開始の所定時間前を迎えたかが判定される（Ｓ１７６）。「熱負荷大時間」開始の所定時間前であると判定された場合（Ｓ１７６，ＹＥＳ）、節電運転から通常運転に切り替わる（Ｓ１７２）。一方、ステップＳ１７６において「熱負荷大時間」開始の所定時間前ではないと判定された場合（Ｓ１７６，ＮＯ）には節電運転を継続する。
【０１８４】
以上述べたように、本実施の形態の冷蔵庫５０は、まとめ買い等で収納状況や冷蔵庫５０内の温度が大きく変化すると予測される時間帯には冷却量を増加させて、投入した収納物３３を短時間で最適保存温度まで冷やすことができる。これにより、収納物３３の高い保鮮性を実現することができるとともに、収納状況や使用状況に合わせて冷却量を調節することができるので、「冷えすぎ」を防止し、各家庭の生活パターンに合わせた最適な冷却運転を行って省エネルギー化を実現できる。
【０１８５】
また、記憶部６４に蓄積された情報から生活パターンを予測し、生活パターンの中で、冷蔵庫５０内の収納量の変化が少なく、かつ、冷蔵庫５０内の温度上昇が少ないと予測される時間帯は、冷蔵庫５０の使用が少なく熱負荷が小さいと判定する。そして、この時間帯を迎えると、自動で節電運転を開始する。これにより、圧縮機３０や冷却ファン３１の回転数を抑制し、「冷えすぎ」を防止するので、各家庭の生活パターンに合わせて自動で省エネルギー化を実現することができる。
【０１８６】
さらに、記憶部６４に蓄積された情報から生活パターンを予測し、生活パターンの中で、冷蔵庫５０内の収納量の増加が予測される時間帯は熱負荷が大きいと判定し、この時間帯を迎える所定時間前に自動で節電運転を終了する。これにより、投入した収納物３３を短時間で最適保存温度まで冷やすので、収納物３３の高い保鮮性を実現することができる。また、例えば、温かい調理品等を冷蔵庫５０で冷却保存する場合や、頻繁に冷蔵庫５０の扉開閉を行う調理時等、これら時間帯を学習・予測して冷却量を増加させて、各家庭の生活パターンに合わせて冷却運転を行うので、収納物３３の高い保鮮性を実現することができる。
【０１８７】
上述したように、冷蔵庫５０は、断熱壁と断熱扉によって区画され収納物を収納する収納室と、収納室内の収納量を推定する収納量推定部２３と、収納量推定部２３の推定結果を記憶する記憶部６４とを備えている。また、演算制御部２２は、記憶部６４のデータから収納室内の将来の収納量の変化を予測する収納量変化予測部として機能するとともに、収納量変化予測部の将来の収納量の変化予測データに基づいて電気機能部品の出力動作を制御する。また、演算制御部２２は、収納量変化予測部の将来の収納量の変化予測データに基づいて、電気機能部品の出力動作を制御する。これにより、買物予定日時に合わせた食品の保鮮性向上と、省エネルギー性を高めることができる。
【０１８８】
また、演算制御部２２は、記憶部６４に記憶された一定期間の収納量のデータと収納量変化予測部の将来の収納量の変化予測データとに基づいて利用者の収納量増加予測日時を推定する。そして、収納量増加予測日時の所定時間前から収納室内の冷却量を高める制御を行う。これにより、収納量増加予測日時（買物予定日時）の所定時間前から貯蔵室内の冷却量を高めることで、確実に食品の保鮮性向上を図ることができる。
【０１８９】
なお、買物予定日時に一度、閾値より大きい収納量変化を検知した場合は、その後一定期間は冷却量の増加（予冷運転）は行わないことが望ましい。これにより、節電運転率を高めることができる。
【０１９０】
また、演算制御部２２は、さらに庫内温度変化データを記憶し、収納量変化予測部の将来の収納量の変化予測データと、さらに庫内温度変化データとに基づいて、電気機能部品の出力動作を制御するようにしてもよい。これにより、さらに精度よく将来の収納量の変化を予測することができる。
【０１９１】
さらに、演算制御部２２は、収納量増加予測日時の所定時間後に、収納量推定部２３が、収納室内の収納量が変化なしと判断した時は、収納室内の冷却量を低める。これにより、省エネルギー性と食品の保鮮性向上を両立することができる。
【０１９２】
なお、本実施の形態では、収納状況検知部を冷蔵室１２に設けた例を示したが、本発明はこの例に限定されず、冷蔵室１２、製氷室１３、切換室１４、冷凍室１５および野菜室１６の少なくとも一つに設けてもよい。
【０１９３】
なお、本実施の形態は、必ずしも図２に示した冷蔵庫５０の構成に限定されず、従来一
般的であった、断熱箱体の最下部の貯蔵室後方領域に機械室を設けて圧縮機３０を配置するタイプの冷蔵庫に適用することも可能である。
【０１９４】
また、冷蔵庫５０は、断熱壁と断熱扉によって区画され収納物を収納する収納室と、収納室内を脱臭あるいは殺菌する脱臭殺菌部と収納室内の収納量を推定する収納量推定部２３とを有していてもよい。また、収納量推定部２３の推定結果を記憶する記憶部６４と、収納量推定部２３の推定結果と記憶部６４とに基づいて収納変化量を演算し、脱臭殺菌部の出力動作を制御する演算制御部２２を備えていてもよい。演算制御部２２は、収納室内の収納量が変化したと判断したときに脱臭殺菌部の脱臭殺菌能力を変化させる。
【０１９５】
また、脱臭殺菌部として、収納室内にミストを噴霧する静電霧化装置を用いることも可能である。
【０１９６】
これにより、収納量変化を素早くキャッチし、脱臭殺菌制御を行うことで、収納量変化に応じた除菌・脱臭機能の向上や、湿度コントロールの適正化が可能となる。
【０１９７】
また、静電霧化装置は、庫内の湿度を高めることができるので、例えば、野菜室に配置し、野菜室内の湿度を高めながら、脱臭殺菌機能を高めることができる。さらに、野菜室の冷気戻り風路近傍に配置することで、野菜室の冷気戻り風路から冷却器を介して冷蔵庫の全室に脱臭殺菌機能を高めたナノイー粒子を送ることができ、貯蔵室全体の湿度を高めながら脱臭殺菌機能をも高めることができる。
【０１９８】
また、脱臭殺菌部として、庫内に冷気を送風する冷気循環経路中に備えた脱臭触媒や紫外線ＬＥＤを備えてもよい。そして、冷気循環経路中の送風をコントロールする送風ファンあるいはダンパの運転を収納量変化に応じて制御してもよい。具体的には、収納量が増えた場合は、送風ファンの回転数あるいは運転率を上昇させることで、脱臭能力と庫内冷却能力の両方を高めることができる。なお、送風ファンに代わりダンパの開度を制御してもよい。
【０１９９】
また、冷気循環経路中に備えた脱臭触媒への風路を並列に設置し、ダンパ等で前記風路の切替をし、脱臭能力の制御をしてもよい。
【０２００】
また、静電霧化装置に代えて、コロナ放電装置を用いてもよい。この場合、オゾンによる脱臭、殺菌作用により、収納量変化に応じた除菌・脱臭機能の向上を図ることができる。
【０２０１】
また、冷蔵庫５０は、断熱扉の開閉を検知する扉開閉検知部６２をさらに備えている。演算制御部２２は、扉開閉検知部６２の検知結果に基づいて、断熱扉の開動作が行われる前の収納量に対する、断熱扉の閉動作が行われた後の収納変化量が予め定められた閾値を越えた場合に、電気機能部品の出力動作を制御する。
【０２０２】
これにより、扉開閉前後の収納量を比較することで、より確実に収納量変化を把握することができる。
【０２０３】
また、収納変化量が閾値を越えない場合には、記憶部６４の収納量を維持し、電気機能部品の出力動作を変えない構成としてもよい。
【０２０４】
この場合、閾値を越えないときには、収納量は変化なしと判断し、収納量推定部２３の推定結果前の記憶部６４の収納量を維持する。これにより、収納量の小さな変化（小分け収納）にも適切に対応することができる。
【０２０５】
なお、出力制御される電気機能部品としては、収納室内の冷却量を変化させる冷却ファンまたは圧縮機としてもよい。
【０２０６】
これにより、省エネルギーを意識した運転率をアップし、実使用時の省エネルギー性を高めることができる。
【０２０７】
なお、上述の説明において、収納状況検知手段としては、発光部２０と光量検知部２１とを備えた構成であるとして説明を行ったが、本発明の収納状況検知手段はこれに限定されない。例えば、庫内温度の傾きや、冷却機能部品の動作時の電流変化等を用いて収納状況を検知する手段をも用いることが可能である。
【０２０８】
（実施の形態２）
次に、本発明の実施の形態２について説明する。
【０２０９】
本実施の形態においては、実施の形態１で詳細に説明した構成および技術思想と異なる部分についてのみ詳細な説明を行う。また、実施の形態１で詳細に説明した構成と同じ部分、および、同じ技術思想を適用しても不具合が生じない部分については、本実施の形態と組み合わせて適用できるものとし、詳細な説明を省略する。
【０２１０】
実施の形態２の冷蔵庫５０は、冷蔵庫５０扉の開および閉状態を検知する扉開閉検知部６２を備えており、扉の閉状態を検出している期間内において、実施の形態１に記載した発光部２０、光量検知部２１、演算制御部２２および収納量推定部２３の一連の動作が起動されるものである。
【０２１１】
この動作により、冷蔵庫５０の扉開閉状態検知を行って、扉が閉状態になってある一定時間経過後に、発光部２０および光量検知部２１を動作させることにより、背景光の影響や残光の影響を容易に回避することができる。
【０２１２】
収納量が変化する際には、まず、使用者が扉を開き、食品を収納または取り出して、最後に扉を閉じるという一連の動作が必ず伴う。このため、扉開閉後にのみ収納量を検知しておけばよい。すなわち、扉開閉検知部６２を備えることにより、最低限の検知動作で済み、発光部２０等で使用する消費電力を削減できる。
【０２１３】
また、家庭用冷蔵庫では、扉開閉検出と庫内照明とを関連付け、扉開閉に応じて、庫内の照明部１９の点灯／消灯制御を行っている。この制御における扉の開閉状態検知機能を共用することにより、新たに部品を追加することなく、簡単な構成で実現できる。
【０２１４】
本実施の形態においては、演算制御部２２は、扉開閉検知部６２で断熱扉の閉動作が検知された所定時間後に演算し、電気機能部品の出力動作を制御する。
【０２１５】
これにより、扉閉後に安定してから比較することで、より確実に収納量変化を把握することができる。
【０２１６】
（実施の形態３）
次に、本発明の実施の形態３について説明する。
【０２１７】
図２０および図２１は、本発明の実施の形態３における収納量検出動作の説明図（図２に対応する断面図）である。
【０２１８】
本実施の形態でも、上述した実施の形態１および実施の形態２の冷蔵庫５０の構成において、同一の構成および技術思想が適用できる部分については、詳細な説明を省略する。また、実施の形態１および実施の形態２で説明した構成は、本実施の形態と組み合わせて実施することが可能である。
【０２１９】
図２０において、照明部１９は、冷蔵庫内の扉開放側前面から見て、庫内の奥行寸法の１／２より手前で且つ、収納棚１８の先端より前方に位置する左側壁面と右側壁面にそれぞれ縦方向に配置されている。
【０２２０】
また、照明部１９には、発光部２０ａ〜２０ｄが縦方向に等間隔で配置され、冷蔵室１２内の上部から下部までを満遍なく照射することができる。さらに、光量検知部２１ａ〜２１ｄが、冷蔵室１２内の後方位置に配置されており、主に収納物３３による光の遮蔽による光量減衰を検知する。また、光量検知部２１ｅは、冷蔵室１２の天面に配置されており、主に収納物３３による光の反射による光量減衰を検知する。光量検知部２１ａ〜２１ｅとしては、照度センサや、照度に加えて色度（ＲＧＢ）の識別が可能な色度センサ等を用いる。
【０２２１】
また、図２１のように、庫内の天面に発光部２０ｅを設け、下方に光量検知部２１ｆを設けても精度良く収納量を検知できる。天面の発光部２０ｅは、冷蔵庫５０内の扉開放側から見て、庫内奥行き寸法の１／２よりも手前側に設置する。さらに、本実施の形態では、天面の発光部２０ｅを、収納棚１８の先端よりも扉側で、かつ扉に取り付けられた扉棚２７ａ〜２７ｃよりも奥側に配置している。このように配置することにより、天面の発光部２０ｅの正面（光軸方向）が、収納棚１８や扉棚２７ａ〜２７ｃへの収納物３３によって遮蔽されることが無い。
【０２２２】
また、下方の光量検知部２１ｆも、同様の理由で、収納棚１８の先端よりも扉側で、かつ扉に取り付けられた扉棚２７ａ〜２７ｃよりも奥側に配置されており、さらに最下段の収納棚１８以下の高さに配置されている。なお、下方の光量検知部２１ｆの設置面は、庫内の側面、または下面等いずれの面でもよい。また、天面の発光部２０ｅと下方の光量検知部２１ｆの位置関係を反対にしてもよい。
【０２２３】
このように、天面から庫内を照射し、下方で光量を検知する構成とすることで、収納棚１８および扉棚２７ａ〜２７ｃへと光が行渡るため、収納量の検知を正確に行うことができる。
【０２２４】
なお、冷蔵室１２のように高さ方向に長い収納室では、天面の発光部２０ｅからの光が、下方の収納物まで届きにくいので、発光部２０ｄ等下方の発光部も使用して、庫内を満遍なく照射することが望ましい。
【０２２５】
なお、光量検知部２１ａ〜２１ｆの配置は、収納物３３、および、庫内の構造物を介して、発光部２０ａ〜２０ｄによって照射される位置に配置されている限り、庫内の何れの位置に配置されてもよい。また、収納量推定に高精度を要求しない場合には、光量検知部２１を複数設置する必要はなく、ひとつだけでもよい。
【０２２６】
（実施の形態４）
次に、本発明の実施の形態４について説明する。
【０２２７】
図２２は、本発明の実施の形態４における収納量検出動作の説明図である。
【０２２８】
本実施の形態でも、上述した実施の形態１から実施の形態３における冷蔵庫５０の構成
において、同一の構成および技術思想が適用できる部分については、詳細な説明を省略する。また、実施の形態１から実施の形態３で説明した構成は、本実施の形態と組み合わせて実施することが可能である。
【０２２９】
図２２に示したように、本実施の形態においては、風量調節部２８ａ〜２８ｄが、冷蔵室１２内の後方位置に配置されている。発光部２０ａ〜２０ｄから出力された照射光３４ａは、冷蔵室１２内および冷蔵室１２内部に収納された収納物３３を照射する。
【０２３０】
また、この出力光の一部の照射光３４ｂは、冷蔵室１２内に配置した光量検知部２１ａ〜２１ｅに入射して、光量検知結果を予め設定した所定の閾値により判別することにより、庫内の収納物３３の量を分類できる。
【０２３１】
このとき、収納状況により、収納状況検知部２１ａ〜２１ｅそれぞれが検知する光量に差が生じる。例えば、図２２に示すように、収納棚１８ｂに収納物３３が投入された場合には、収納物３３投入前後で光量検知部２１ａが検知する光量が他の収納状況検知部２１ｂ〜２１ｅが検知する光量よりも小さくなる。これにより、収納棚１８ｂに収納物３３が投入されたことを検知し、収納物３３の量を分類する。その後、風量調節部２８ａにより、検知した収納増加量に応じて風量を調節して急却運転を行う。
【０２３２】
なお、この急冷運転は、一定時間経過後、圧縮機停止後、または、冷蔵室センサの検知する温度がある所定の温度以下になった時点で解除となり、通常運転、又は自動節電の冷却運転を開始する。
【０２３３】
以上のように、本実施の形態においては、風量調節部２８ａ〜２８ｄを設けることにより、投入した収納物周辺を効率的に冷やすことが可能となるので、最適な自動急冷の冷却運転を実現できる。
【０２３４】
なお、風量調節部２８ａ〜２８ｄの位置は本実施の形態の例に限らず、庫内のいずれの位置に配置されても構わない。
【０２３５】
（実施の形態５）
次に、実施の形態５について図面を用いて詳細に説明する。
【０２３６】
図２３は、本発明の実施の形態５における冷蔵庫５０の正面図である。本実施の形態の冷蔵庫５０は、実施の形態１から実施の形態４において説明した各機能を有するものである。
【０２３７】
図２３において、内箱１１ａと外箱１１ｂからなる冷蔵庫本体１１は、断熱壁を介して設けた内箱１１ａ内に、上方から冷蔵室１２、製氷室１３、冷凍室１５、および野菜室１６が配設され、製氷室１３の側方には、室内を多温度に切り替えることができる切換室１４を併設している。
【０２３８】
最も貯蔵品出し入れの使用頻度が高く収納容量も大きい冷蔵室１２は、両側をヒンジで枢支した観音開き式の回転扉である冷蔵室扉１２ａでその前面開口を閉塞されている。製氷室１３、切換室１４、野菜室１６および冷凍室１５には、それぞれ引出し式の扉が設けられている。
【０２３９】
冷蔵室１２は、冷蔵温度に保持された室内を適当間隔で設けた複数の収納棚１８によって上下に区画し、その底部には、冷蔵室１２に製氷用水を供給する給水タンクやチルド温度に保持する低温室１２ｂを設けている。
【０２４０】
具体的には、収納棚１８の上部空間が食品を保存する収納空間であり、本実施の形態では収納棚１８として最上段に形成された収納空間に収納する食品を載置する収納棚１８ａ、上から２段目の収納空間に収納する食品を載置する収納棚１８ｂ、収納棚１８ｂの直下部の収納空間に収納する食品を載置する収納棚１８ｃが設けられており、最下段の収納区画には給水タンクやチルド温度に保持する低温室１２ｂが配置されている。
【０２４１】
冷蔵室１２は、貯蔵室内側面の前方側に複数個のＬＥＤが縦方向に等間隔に内蔵された照明部１９が設置されている。貯蔵室内の背面側には、照度センサからなる光量検知部２１が設置されている。最上段に形成された収納空間に収納する食品を載置する収納棚１８ａの上方で、かつ天面側の内箱１１ａの下方の背面壁に光量検知部２１ａが備えられている。上から２段目の収納空間に収納する食品を載置する収納棚１８ｂの上方で、かつ収納棚１８ａの下方の背面壁には、光量検知部２１ｂが備えられている。
【０２４２】
また、本実施の形態では、収納棚１８ｂに、食品である収納物３３が置かれている状態を示している。
【０２４３】
また、光量検知部２１の上方には、冷気吐出口４が設けられており、上方側の収納状況検知部２１ａの近傍には、冷気吐出口４ａ、下方側の収納状況検知部２１ｂの近傍には冷気吐出口４ｂがそれぞれ設けられている。
【０２４４】
以上のように構成された冷蔵庫５０について、以下その動作を説明する。
【０２４５】
冷蔵室扉１２ａが閉っている状態で、照明部１９が点灯する。庫内では、照明部１９からの光は、空気を介して最上段の収納空間の照度を検知する光量検知部２１ａに届く。中段の収納棚１８ｂでは、照明部１９からの光は、一部が収納物３３の間を通って２段目の収納空間の照度を検知する収納状況検知部２１ｂに届く。その他の光線の一部は、収納物３３にあたって吸収され、一部は反射して散乱する。このため、収納物３３の照明部１９とは反対側、すなわち、影になる収納物３３の背面側は、光の量が少なく暗くなる。
【０２４６】
収納物３３の高さが高ければ高いほど、また、収納物３３の収納量が多ければ大きいほど、照明部１９の光が遮られるので、後方にある光量検知部２１に届く光の量は低下する。
【０２４７】
よって、この照度センサからなる光量検知部２１は、貯蔵室内の収納空間における空き空間を非接触で検知する検知部として機能する。
【０２４８】
そして、このようにして光量検知部２１で光の量を検知し、収納棚１８の中段に対して、上段に収納可能なスペースがあることを、扉である冷蔵室扉１２ａの外面にある表示部９１（図１参照）に表示する。
【０２４９】
すなわち、光量検知部２１が備えられた貯蔵室である冷蔵室１２の前面側に設けられた冷蔵室扉１２ａの外面に表示させる認知手段である表示部９１によって、使用者に冷蔵室１２内の収納物の状態を知らせることができる。
【０２５０】
使用者は、この認知手段である表示部９１に示された表示を確認して、冷蔵室扉１２ａを開放し、迷うことなく収納物３３が少ないと表示された最上段の収納空間である収納棚１８ａへと食品を載置し、迅速に冷蔵室扉１２ａを閉めることができる。
【０２５１】
また、収納棚１８ｂに示したように、食品である収納物３３が、冷気吐出口４ｂの前方
側に収納されている場合や、収納物３３が詰めすぎとなっている場合を想定する。このような場合、冷気吐出口４近傍の光量検知部２１で検知した光量が所定値より低い場合には、冷蔵室扉１２ａの外面にある表示部９１に、該当する照度センサで検知した収納空間が詰めすぎで増電運転になることを表示する。
【０２５２】
ここで、収納物３３が詰めすぎである場合や、冷気吐出口４の近傍に収納物３３が収納されている場合には、収納物３３が、冷気の通風抵抗となり、単位時間当たりの冷気循環量が低下して、冷却するのに時間が長くなる。また、冷気循環量が低下すると蒸発器の風量が低下して、熱交換量が低下するので、蒸発温度の低下を招き、冷凍サイクルの高低圧差圧の拡大により圧縮機入力も増加する。
【０２５３】
冷却時間を維持しようとすると、冷気を循環させるファンの回転数を増加させたり、圧縮機３０の回転を増加させたりしなければならず、これもまた増電の要因となる。
【０２５４】
よって、これらの電力使用量が多くなる増電傾向を使用者に報知し、最適な収納物３３の配置を促すことで、冷蔵庫５０の実際の使用上において、省エネルギー化を図ることができ、より省エネルギーを実現した冷蔵庫５０を消費者に提供することができ、ＣＯ２削減に寄与することができる。
【０２５５】
以上のことから、冷蔵室扉１２ａの開放時間は短縮され、冷蔵室扉１２ａから流入してくる高温の外気が抑制でき、省エネルギー化が可能となる。また、冷蔵室１２内の一時的な昇温も抑制されるので、収納物３３である食品の昇温も抑制でき、品質劣化が低減できる。
【０２５６】
さらに、増電運転になることを認知手段である表示部９１によってお知らせできるので、使用者に省エネルギー運転を促す注意喚起ができる。なお、認知手段としては、表示部９１に限定されず、例えば音声で注意を促す構成も可能である。
【０２５７】
特に、本実施の形態の構成は、家庭用冷蔵庫のように、多種多様な食品が収納される可能性がある場合に、従来に比して効果が高い。
【０２５８】
本実施の形態の冷蔵庫５０は、断熱壁と断熱扉によって区画され収納物を収納する収納室と、収納室内の収納量を推定する収納量推定部２３と、収納量推定部２３の推定結果を記憶する記憶部６４とを有している。また、記憶部６４の前回までの推定結果と収納量推定部２３の推定結果とに基づいて収納変化量を演算し、電気機能部品の出力動作を制御する演算制御部２２とを備えている。また、演算制御部２２は、収納室内の収納量が変化したと判断した場合に冷蔵庫５０の運転状態を、報知手段によって使用者に報知する。
【０２５９】
これにより、収納量推定に基づき、例えば、節電運転が行われている状態（冷蔵庫の運転状態）などを使用者にお知らせすることで、節電意識を高めることができる。
【０２６０】
なお、収納量情報を表示部９１にインジケータで詰め込み過ぎ等を表示してもよい。庫内の収納量を表示する場合は、収納量推定部２３による収納量の絶対値推定が適している。
【０２６１】
また、庫内の収納量変化を表示する場合は、収納量推定部２３による収納量の相対値推定が適している。これにより、使い勝手の向上を図ることができる。
【０２６２】
（実施の形態６）
次に、本発明の実施の形態６について、図面に基づいて説明する。
【０２６３】
図２４は、本発明の実施の形態６における冷蔵庫１５０の正面図である。  図２４に示したように、冷蔵庫１５０は、冷蔵庫本体１５１を有している。
【０２６４】
冷蔵庫本体１５１は断熱箱体であり、主に鋼板を用いた外箱と、ＡＢＳ等の樹脂で成形された内箱と、外箱と内箱の空間にウレタン等の断熱材が設けられた構造で、周囲とは断熱されている。
【０２６５】
冷蔵庫本体１５１は、複数の貯蔵室に断熱区画されており、最上部に冷蔵室１５２が設けられている。冷蔵室１５２の下部には、製氷室１５３および切換室１５４が横並びに設けられている。製氷室１５３と切換室１５４の下部には、冷凍室１５５、そして最下部には野菜室１５６がそれぞれ配置されている。
【０２６６】
各貯蔵室の前面には、外気と区画するため、それぞれの扉が冷蔵庫本体１５１の前面開口部に構成されている。冷蔵室１５２の冷蔵室扉１５２ａの中央部付近には、各室の庫内温度設定や製氷および急速冷却等の設定を行うための操作部１５７が配置されている。
【０２６７】
図２５は、本発明の実施の形態６における冷蔵庫１５０の図２４における２５−２５線断面図である。
【０２６８】
図２５に示したように、冷蔵室１５２内には、複数の収納棚１５８が設けられており、一部の収納棚１５８は、上下に可動できるように構成されている。
【０２６９】
冷蔵室１５２内には、ランプや複数のＬＥＤ等で構成された照明部１５９、および、収納状況を検知できる手段であるＬＥＤ等の発光部１６０および照度（光）センサ等の光量検知部１６１が構成されている。
【０２７０】
照明部１５９は、冷蔵庫１５０内の扉開放側前面から見て、庫内の奥行寸法の１／２より手前で、かつ、収納棚１５８の先端より前方に位置する左側壁面と右側壁面にそれぞれ縦方向に配置されている。
【０２７１】
また、発光部１６０は、照明部１５９と近接する位置に隣接配置され、光量検知部１６１は、冷蔵室１５２内の後方位置に配置されている。
【０２７２】
なお、光量検知部１６１の配置は、収納物１７３（図２６参照）、および、庫内部の構造物を介して、発光部１６０によって照射される位置に配置されている限り、庫内の何れの位置に配置されても構わない。
【０２７３】
なお、本実施の形態における、以下に述べる発明の要部に関する事項は、従来一般的であった断熱箱体の最下部の貯蔵室後方領域に機械室を設け、圧縮機１７０を配置するタイプの冷蔵庫本体１５１に適用しても構わない。
【０２７４】
冷蔵室１５２内の最上部の後方領域に形成された機械室内には、圧縮機１７０、および水分除去を行うドライヤ等の冷凍サイクルの高圧側構成部品が収納されている。
【０２７５】
冷凍室１５５の背面には冷気を生成する冷却室が設けられている。冷却室内には、冷却器、および、冷却器で冷却した冷却手段である冷気を冷蔵室１５２、切換室１５４、製氷室１５３、野菜室１５６、および冷凍室１５５に送風する冷却ファン１７１（図２７参照）が配置されている。また、冷却器やその周辺に付着する霜や氷を除霜するために、除霜部１９５（図２７参照）としてのラジアントヒータ、ドレンパン、ドレンチューブ蒸発皿
等が構成されている。
【０２７６】
冷蔵室１５２は、冷蔵保存のために凍らない温度を下限に通常１℃〜５℃に設定し、最下部の野菜室１５６は、冷蔵室１５２と同等もしくは若干高い温度の２℃〜７℃に設定している。また、冷凍室１５５は、冷凍温度帯に設定されており、冷凍保存のために通常−２２℃〜−１５℃で設定されているが、冷凍保存状態の向上のために、例えば−３０℃や−２５℃の低温で設定されることもある。
【０２７７】
製氷室１５３は、冷蔵室１５２内の貯水タンク（図示せず）から送られた水で室内上部に設けられた自動製氷機（図示せず）で氷をつくり、室内下部に配置した貯氷容器（図示せず）に貯蔵する。
【０２７８】
切換室１５４は、１℃〜５℃で設定される冷蔵温度帯、２℃〜７℃で設定される野菜温度帯、通常−２２℃〜−１５℃で設定される冷凍の温度帯以外にも、冷蔵温度帯から冷凍温度帯の間で予め設定された温度帯に切り換えることができる。切換室１５４は、製氷室１５３に並設された独立扉を備えた貯蔵室であり、引き出し式の扉を備えることが多い。
【０２７９】
なお、本実施の形態では、切換室１５４を、冷蔵および冷凍の温度帯までを含めた貯蔵室としているが、冷蔵は冷蔵室１５２と野菜室１５６、冷凍は冷凍室１５５にそれぞれ委ねて、冷蔵と冷凍の中間の温度帯のみの切り換えに特化した貯蔵室としても構わない。また、特定の温度帯、例えば近年冷凍食品の需要が多くなってきたことに伴い、冷凍に固定された貯蔵室としても構わない。
【０２８０】
以上のように構成された冷蔵庫１５０について、以下、その動作・作用を説明する。
【０２８１】
図２６は、本発明の実施の形態６における、光量検出動作の説明図である。
【０２８２】
図２６を用いて、収納状況を検知できる手段を構成する発光部１６０および光量検知部１６１の動作を詳細に説明する。
【０２８３】
冷蔵庫１５０の左右両壁面に配置された発光部１６０から出力された照射光１７４ａは、冷蔵室１５２内および冷蔵室１５２内部に収納された収納物１７３を照射する。また、この照射光１７４ａの一部は、冷蔵室１５２内に配置した光量検知部１６１に入射する。
【０２８４】
図２６では、冷蔵室１５２内に収納物１７３が収納されている場合に、収納物１７３の存在により、左右両壁面からの照射光１７４ａが共に遮蔽される領域Ａ、何れか一方の照射光１７４ａが遮蔽される領域Ｂ、および左右の何れの光も遮蔽されない領域Ｃが発生する様子を示している。
【０２８５】
この場合、光量検知部１６１は、何れか一方の照射光１７４ａが遮蔽される領域Ｂにある為、該当する光量を検知して出力する。また、収納物１７３の量が多い場合には、共に遮蔽される領域Ａが増加するため、光量検知部１６１の検知光量は減少する。また、収納量が少ない場合には、何れの照射光１７４ａも遮蔽されない領域Ｃが増加するため、光量検知部１６１の検知光量は増加する。
【０２８６】
以上により、収納物１７３の存在、および、収納物１７３の収納量の違いに起因した光量変化を光量検知部１６１で検出し、光量検知結果を予め設定した所定の閾値により判別することにより、庫内の収納物１７３の量（例：多いか少ないか）を分類することができる。
【０２８７】
なお、発光部１６０は、冷蔵庫１５０内に通常設けられている照明部１５９と兼用する、もしくは、照明部１５９の基板を発光部１６０の基板と兼用することで、新たな光源、材料を設けることなく、より簡易な構成で収納状態の検知が可能となる。
【０２８８】
次に、冷蔵庫１５０の制御動作を説明する。
【０２８９】
図２７は、本発明の実施の形態６における冷蔵庫１５０の制御ブロック図である。
【０２９０】
図２７に示したように、冷蔵庫１５０は、光量検知部１６１、温度センサ１９１、扉開閉検知部１９２、演算制御部１６３、発光部１６０、圧縮機１７０、冷却ファン１７１、温度補償ヒータ１７２、ダンパ１９３および除霜部１９５を備えている。
【０２９１】
演算制御部１６３は、収納量推定部１６２、記憶部１９４およびタイマ１９６を有している。
【０２９２】
冷蔵庫１５０は、扉閉後、あらかじめ決められたプログラムにより発光部１６０を順次動作させて、その都度光量検知部１６１が近傍の光量を検知する。そして、その光量情報を演算制御部１６３に入力して、演算を行い、その出力値を貯蔵室内の収納量と推測して記憶部１９４に随時記憶する。
【０２９３】
そして記憶部１９４に記憶されたデータを基に、演算制御部１６３は、適時演算処理を行い、除霜部１９５の動作タイミングを決定する。
【０２９４】
例えば、光量検知部１６１による検知出力が一定期間変化しない、もしくは変化幅が決められた閾値よりも少ない場合には、演算制御部１６３は、冷蔵庫１５０が使用されていないと判断し、通常の除霜周期よりも延長した周期で除霜動作を行うように制御する。また、それ以外の温度センサ１９１や扉開閉検知部１９２の出力データ等を用いて、演算制御部１６３は、さらに人の生活状態を把握し、圧縮機１７０、冷却ファン１７１、温度補償ヒータ１７２およびダンパ１９３等を適時、省エネルギー運転を行うよう動作させるとともに、除霜動作も制御する。
【０２９５】
以下、具体的に説明する。
【０２９６】
図２８Ａは、本発明の実施の形態６における冷蔵庫１５０の電源投入時の制御フローチャートであり、図２８Ｂは、冷蔵庫１５０のお出かけ検知Ａの制御フローチャートであり、図２８Ｃは、冷蔵庫１５０の使用状況判定Ａの制御フローチャートであり、図２８Ｄは、冷蔵庫１５０のお出かけ検知Ｂの制御フローチャートである。
【０２９７】
また、図２８Ｅは、本発明の実施の形態６における冷蔵庫１５０の使用状況判定Ｂの制御フローチャートであり、図２８Ｆは、冷蔵庫１５０の使用状況判定Ｃの制御フローチャートであり、図２８Ｇは、冷蔵庫１５０のお出かけ検知Ｂにおける別の例の制御フローチャートであり、図２８Ｈは、冷蔵庫１５０の使用状況判定Ｄの制御フローチャートである。
【０２９８】
図２８Ａにおいて、冷蔵庫１５０の電源が投入される（Ｓ２０１）と、初期準備として、収納変化により除霜周期を判定するためのＦｌａｇＡおよびＦｌａｇＢに、初期値（例えば、Ａ＝０、Ｂ＝０）を設定し、タイマｔｃを０とし、除霜周期ｔｄ０を所定の値に設定する（Ｓ２０２）。
【０２９９】
次に、ステップＳ２０３に移行し、冷却運転が開始され、あらかじめ設定された温度帯
まで冷蔵庫１５０の貯蔵室を冷却する。
【０３００】
次に、ステップＳ２０４において、除霜動作時間（除霜周期ｔｄ０）に到達したかどうかが判別される。すなわち、電源投入してからの冷却運転時間ｔｃが、ｔｄ０時間経過していなければ（Ｓ２０４、ＮＯ）、通常冷却を継続する。一方、冷却運転時間ｔｃがｔｄ０時間経過した場合（Ｓ２０４，ＹＥＳ）、除霜動作を開始する（Ｓ２０５）。ただし、このとき、除霜終了後に想定される貯蔵室への暖気の流入による貯蔵室温度上昇を抑制するため、除霜開始前に一定時間冷却を継続し、通常より低い庫内温度を確保してもよい。
【０３０１】
ステップＳ２０５において、除霜が開始されると、圧縮機１７０が停止し、例えば除霜部１９５で冷却器を中心に付着した霜に熱を与え融解、液化させる。液化した除霜水は、冷却室下面に流れて、庫外に排水される。さらに冷却器自身の温度が上昇して、冷却器またはその周辺に取り付けられた温度センサの検知温度が、決められた温度以上を検知した場合には、除霜を終了（Ｓ２０６）し、ステップＳ２０７に移行して、通常制御である「お出かけ検知Ａ」に移行する。
【０３０２】
次に図２８Ｂ、図２８Ｃを用いて、「お出かけ検知Ａ」について説明する。
【０３０３】
通常冷却モードに入り、「お出かけ検知Ａ」モードに入ると、準備として、収納量変化に応じた除霜周期を判定するためのＦｌａｇＡを例えば「１」、タイマｔｃを「０」にそれぞれ設定し、除霜周期ｔｄ１を所定の値に設定する。次にステップＳ２１３において、冷却運転が開始され、タイマｔｃのカウントが開始され、ステップＳ２１４の「使用状況判定Ａ」処理に移行する。
【０３０４】
ここで、「使用状況判定Ａ」の制御フローチャートについて、図２８Ｃを用いて説明する。
【０３０５】
使用状況判定Ａが開始すると、ステップＳ２３２でＦｌａｇＡが「１」であるか否かが判定される。もし、ＦｌａｇＡが「１」であれば（Ｓ２３２，ＹＥＳ）、当該期間に収納量の変化がないと判定し、ステップ２３３に移行する。もし、ＦｌａｇＡが「１」以外であれば（Ｓ２３２，ＮＯ）、当該期間に収納量変化があったと判定し、収納量変化判定は行わず、使用状況判定Ａを終了する。
【０３０６】
ステップＳ２３３に移行した場合には、記憶部１９４に記憶されている基準の収納量と、最新の収納量との差である収納変化量△Ｍが、あらかじめ決められた閾値Ｍｃ以下であるかが判定される。
【０３０７】
収納変化量△Ｍが、あらかじめ決められた閾値Ｍｃ以下であると判定される場合（Ｓ２３３、ＹＥＳ）には、ステップＳ２３４に移行する。ステップＳ２３４においては、収納変化量が閾値以下であるので、人の生活がない（不在である）ために収納量が変化していないと判定し、ＦｌａｇＡをそのまま「１」として、使用状況判定Ａを終了する。一方、収納変化量△Ｍがあらかじめ決められた閾値Ｍｃよりも大きれば（Ｓ２３３，ＮＯ）、ステップＳ２３５へ移行し、収納量の変化があった、つまり、使用者が在宅していると判定して、ＦｌａｇＡを「０」として、使用状況判定Ａを終了する。
【０３０８】
このように収納量変化を見分けることで、使用者の在宅、不在の判定を行い、これをデータベース化することによって、長期間の不在を判定することができる。
【０３０９】
図２８Ｂに戻って、ステップＳ２１４の「使用状況判定Ａ」からステップＳ２１５に移行した場合には、除霜タイミングに到達したか否かが判定される（Ｓ２１５）。もし、タ
イマｔｃが除霜周期ｔｄ１を超過したと判定すると（Ｓ２１５、ＹＥＳ）、ステップＳ２１６に移行して、除霜運転を開始する。具体的には、演算制御部１６３は、圧縮機１７０を停止し、除霜部１９５への通電を開始する。除霜が開始されると、除霜部１９５により冷却器を中心に付着している霜に熱を与え融解、液化させる。そして、冷却器に付着した霜が融解、液化し、冷却器から除霜水が冷却室下面に流れる。さらに、冷却器自身の温度が上昇し、冷却器またはその周辺に取り付けられた温度センサが、決められた温度以上を検知すると除霜を終了する（Ｓ２１８）。
【０３１０】
この除霜動作中においても、前述した「使用状況判定Ａ」処理を動作させ、収納量変化の判定を行う（Ｓ２１７）。
【０３１１】
除霜終了後、ステップＳ２１９に移行し、収納変化量△Ｍが閾値より少ないと継続的に判断され、ＦｌａｇＡに「１」が設定されている場合（Ｓ２１９，ＹＥＳ）には、不在状態が継続していると判断して、ステップＳ２２０の「お出かけ検知Ｂ」処理に移行する。一方、収納量変化量△Ｍが閾値Ｍｃより多いと判断され、ＦｌａｇＡに「０」が設定されている場合（Ｓ２１９，ＮＯ）には、ステップＳ２２１の「お出かけ検知Ａ」処理に移行する。この場合には、前述した「お出かけ検知Ａ」処理を再度行う。
【０３１２】
次に、図２８Ｄ〜図２８Ｆを用いて、除霜周期の延長を判断する「お出かけ検知Ｂ」処理について説明する。
【０３１３】
「お出かけ検知Ｂ」処理に移行する条件としては、前述した制御フローチャートで説明したが、前々回の除霜終了後からの収納量変化△Ｍが閾値Ｍｃより小さく、人の生活がなく不在であり、収納変化が少ないと予測されていることが前提となっている。
【０３１４】
「お出かけ検知Ｂ」処理に移行すると、ステップＳ２５２において、準備として、収納変化により決定される除霜周期を判定するためのＦｌａｇＢに初期値「１」、タイマｔｃを「０」を設定し、次の除霜周期ｔｄ１を設定し、ステップＳ２５３において、冷却運転を開始し、次にステップＳ２５４で「使用状況判定Ｂ」処理の制御を行う。
【０３１５】
ここで、図２８Ｅを用いて、「使用状況判定Ｂ」処理について説明する。「使用状況判定Ｂ」処理に移行すると、ステップＳ２７２に移行して、ＦｌａｇＢが「１」であるか否かが判定される。もし、ＦｌａｇＢが「１」であれば（Ｓ２７２，ＹＥＳ）、過去に収納量変化がないと判定して、ステップＳ２７３に移行する。一方、ＦｌａｇＢが「１」以外であれば（Ｓ２７２，ＮＯ）、過去に収納量変化があったと判定して、収納量変化判定は行わず、使用状況判定Ｂを終了する。
【０３１６】
ステップＳ２７３に移行した場合には、記憶部１９４に記憶されている基準の収納量と最新の収納量との収納変化量△Ｍが、あらかじめ決められた閾値Ｍｃ以下であるか否かが判定される。収納変化量△Ｍが、あらかじめ決められた閾値Ｍｃ以下であれば（Ｓ２７３，ＹＥＳ）、ステップＳ２７４に移行して、ＦｌａｇＢはそのまま「１」（ＦｌａｇＡもそのまま「１」）として、「使用状況判定Ｂ」処理を終了する。
【０３１７】
一方、収納変化量△Ｍが、あらかじめ決められた閾値Ｍｃより大きければ（Ｓ２７３，ＮＯ）、ステップＳ２７５へ移行し、収納の変化があった、つまり、使用者が在宅（帰宅）して冷蔵庫１５０を使用したために収納に変化があったと判定し、ＦｌａｇＡおよびＦｌａｇＢを「０」として、使用状況判定Ｂを終了する。
【０３１８】
このように、貯蔵室内の収納状態を検知し、その収納変化が継続してない（少ない）場合、不在により冷蔵庫を使用していないため収納変化がないと判定でき、これらの情報を
積み重ねることにより長期不在を判定することができる。
【０３１９】
図２８Ｄに戻って、ステップＳ２５４の「使用状況判定Ｂ」処理が終了すると、ステップＳ２５５において、除霜タイミングに到達したか否かを判定する。もし、タイマｔｃが除霜周期ｔｄ１を超過した場合（Ｓ２５５，ＹＥＳ）、ステップＳ２５６に移行する。一方、タイマｔｃが除霜周期ｔｄ１以下の場合（Ｓ２５５，ＮＯ）には、繰り返し「使用状況判定Ｂ」（Ｓ２５４）処理を行う。
【０３２０】
ステップＳ２５５において、タイマｔｃがｔｄ１を超過した場合、ステップＳ２５６に移行し、ＦｌａｇＢが「１」であるか否かの判定を行う。ＦｌａｇＢが「１」ならば、収納量変化がなく、不在状態が継続していると判断して、ステップＳ２５７に移行する。ステップＳ２５７では、除霜周期ｔｄ１をｔｄ２に延長する（例えば、通常１４時間であったものを２６時間に延長する等）。
【０３２１】
一方、ステップＳ２５６において、ＦｌａｇＢが「１」以外であれば、「お出かけ検知Ｂ」制御の開始後、収納変化があった、つまり、在宅状態に変化したと判断して、直ちにステップＳ２６５に移行して除霜を開始する。そして通常に除霜をおこなった後、ステップＳ２６６で除霜を終了し、ステップＳ２６７の「お出かけ検知Ａ」処理に移行する。
【０３２２】
また、ステップＳ２５７で除霜周期を延長した場合には、ステップＳ２５８の「使用状況判定Ｃ」処理に移行する。
【０３２３】
ここで、「使用状況判定Ｃ」処理について、図２８Ｆの制御フローチャートを用いて説明する。「使用状況判定Ｃ」処理に移行すると、ステップＳ２８２において、記憶部１９４に記憶されている基準の収納量と最新の収納量との収納変化量△Ｍがあらかじめ決められた閾値Ｍｃ以下であるか否かが判定される。収納変化量△Ｍがあらかじめ決められた閾値Ｍｃ以下である場合（Ｓ２８２，ＹＥＳ）は、使用状況判定Ｃを終了する。
【０３２４】
一方、収納変化量△Ｍが、あらかじめ決められた閾値Ｍｃよりも大きければ（Ｓ２８２，ＮＯ）、直ちにステップＳ２８４へ移行し、除霜運転を行い、終了後（Ｓ２８５）、「お出かけ検知Ａ」処理に移行する（Ｓ２８６）。
【０３２５】
なお、上記説明では除霜を直ちに除霜運転を行う制御で説明したが、冷却器の冷却能力を推測して、仮に直ちに除霜を行わなくてもある程度余力があるなら、除霜の開始をそのまま、除霜周期ｔｄ２のタイミングまで延長してもよい。
【０３２６】
図２８Ｄに戻って、ステップＳ２５８の「使用状況判定Ｃ」処理が終了すると、演算制御部１６３は、タイマｔｃが除霜周期ｔｄ２を超えているかどうかを判断する。もし、超えていなければ（Ｓ２５９，ＮＯ）、「使用状況判定Ｃ」処理を繰り返し行う。
【０３２７】
一方、タイマｔｃが除霜周期ｔｄ２を超えた場合は、ステップＳ２６０に移行して除霜運転を開始する。なお、除霜中は、図２８ＤのステップＳ２６１に移行して、「使用状況判定Ｂ」処理を行う。そして、ステップＳ２６２で除霜終了するとステップＳ２６３に移行する。ステップＳ２６３では、ＦｌａｇＢが「１」であるか否かが判定される。
【０３２８】
収納量変化により決定させる除霜周期を判定させるためのＦｌａｇＢが「１」なら（Ｓ２６３，ＹＥＳ）、不在が継続していると判断し、「お出かけ検知Ｂ」処理に移行する。一方、ＦｌａｇＢが「１」以外なら（Ｓ２６３，ＮＯ）、不在状態が解消されたとして、「お出かけ検知Ａ」処理に移行する（Ｓ２６７）。
【０３２９】
「お出かけ検知Ｂ」処理に関しては、ＦｌａｇＢを設定しているが、ＦｌａｇＡのみでのプログラム設計も可能である。次にその制御について、図２８Ｇの制御フローチャートを用いて説明する。
【０３３０】
図２８ＢのステップＳ２１９の判定により不在であると判定され、「お出かけ検知Ｂ」処理に移行したとき、図２８Ｇの制御フローに移行する。
【０３３１】
「お出かけ検知Ｂ」処理に移行すると、ステップＳ３０２でタイマｔｃを「０」、除霜周期ｔｄ２（お出かけ時の除霜周期）を所定の値に設定する（ＦｌａｇＡは前のルーチンより「１」に設定されている）。
【０３３２】
次に、ステップＳ３０３で冷却運転が開始されると、図２８Ｃで説明した「使用状況判定Ａ」処理を行う（Ｓ３０４）。
【０３３３】
次に、ステップＳ３０５で、タイマｔｃと通常の除霜周期ｔｄ１とを比較し、タイマｔｃが除霜周期ｔｄ１を超えていなければ（Ｓ３０５，ＮＯ）、引き続き「使用状況判定Ａ」処理（Ｓ３０４）を行い、もしタイマｔｃが除霜周期ｔｄ１を超えた場合には（Ｓ３０５，ＹＥＳ）、ステップＳ３０６の「使用状況判定Ｄ」処理に移行する。
【０３３４】
ここで、ステップＳ３０６の「使用状況判定Ｄ」処理について図２８Ｈを用いて説明する。
【０３３５】
「使用状況判定Ｄ」に移行すると、ステップＳ３２２で、収納変化により決定させる除霜周期を判定させるためのＦｌａｇＡが「１」であるか否かが判定される。
【０３３６】
ＦｌａｇＡが「１」である場合（Ｓ３２２，ＹＥＳ）、ステップＳ３２３に移行する。ステップＳ３２３では、記憶部１９４に記憶されている収納量と最新の収納量との収納変化量△Ｍが、あらかじめ決められた閾値Ｍｃ以下であるかが判定される。
【０３３７】
収納変化量△Ｍが、あらかじめ決められた閾値Ｍｃ以下であれば（Ｓ３２３，ＹＥＳ）、「使用状況判定Ｄ」処理を終了する。もし、収納変化量△Ｍが、あらかじめ決められた閾値Ｍｃより大きければ、ステップＳ３２５へ移行し、除霜運転を行い、終了（Ｓ３２６）後、「お出かけ検知Ａ」処理に移行する（Ｓ３２７）。
【０３３８】
また、ステップＳ３２２で、ＦｌａｇＡが「１」以外であれば（Ｓ３２２，ＮＯ）、収納量変化があったとしてステップＳ３２５に移行し、除霜運転を行い、終了（Ｓ３２６）後、「お出かけ検知Ａ」処理に移行する。
【０３３９】
図２８Ｇに戻って、「使用状況判定Ｄ」処理が終了すると、ステップＳ３０７に移行し、タイマｔｃが除霜周期ｔｄ２を超えるか否かが判定される。
【０３４０】
タイマｔｃが除霜周期ｔｄ２を超えなければ（Ｓ３０７，ＮＯ）、引き続き「使用状況判定Ｄ」処理を繰り返し行う。一方、タイマｔｃが除霜周期ｔｄ２を超えると（Ｓ３０７，ＹＥＳ）、ステップＳ３０８に移行し、除霜を開始する。
【０３４１】
ステップＳ３０８では除霜を開始し、ステップＳ３１０で除霜終了するまではステップＳ３０９において「使用状況判定Ａ」処理を行う。
【０３４２】
ステップＳ３１０における除霜終了後、ステップＳ３１１に移行し、収納変化により決定させる除霜周期を判定させるためのＦｌａｇＡが「１」であるか否かが判定される。Ｆ
ｌａｇＡが「１」である場合（Ｓ３１１，ＹＥＳ）には、不在状態が継続していると判断して、引き続き「お出かけ検知Ｂ」へ移行する（Ｓ３１２）。一方、もし、ＦｌａｇＡが「１」でなければ（Ｓ３１１，ＮＯ）、不在状態が解消されて在宅していると判定し、ステップＳ３１３に移行して、「お出かけ検知Ａ」処理に移行する。
【０３４３】
以上のように、本実施の形態の冷蔵庫１５０によれば、収納の変化が少なければ、人が生活していない、つまり、不在状態である、あるいは、在宅していたとしても冷蔵庫の使用頻度が少ないと判断し、その状態が所定時間継続する。また、冷却器に付着している霜が少なく、冷却能力が十分あると判断したときは、自動的に除霜運転をカット（少なく）することによりヒータ等にかかる電力削減と庫内温度上昇を防ぐことができる。これにより、省エネルギー化を図り、さらに温度変動も抑制することで保鮮性を向上させることができる。
【０３４４】
次に、図２９Ａ〜図２９Ｄを用いて、除霜タイミングの動作イメージを説明する。図２９Ａは、本発明の実施の形態６における冷蔵庫１５０の基本的な除霜タイミングの動作イメージ図であり、図２９Ｂは、冷蔵庫１５０の帰宅時の除霜タイミングの動作イメージ図であり、図２９Ｃは、冷蔵庫１５０の除霜時間にタイムセーフがあった場合の動作イメージ図であり、図２９Ｄは、冷蔵庫１５０において、除霜中に不在になった場合の動作イメージ図である。
【０３４５】
人が、旅行や帰省等で出かけるとき、冷蔵庫の扉開閉や食品の出し入れは出発前まで行っていると仮定できる。このため、冷却器にはある程度の霜が付着しており、場合によっては冷却を阻害するような多量の霜が付着している場合がある。  仮に、図２９ＡのＡ点で旅行に出発したとすると、それ以後の収納量変化は基本極めて少なく、また、扉開閉は、使用者が帰宅するまで基本的に行われない。ある時間が経過すると、Ｂ点で除霜が開始され、霜を融解、排水するために、除霜部１９５である除霜ヒータに通電、加熱される。Ｂ点の除霜終了後、冷却器は霜のない状態に戻る。
【０３４６】
次に、ＢＣ点間で冷却運転がなされるが、この間、使用者は不在のため、扉開閉がなく、冷却器に霜が付着する量は極めて少ない。ただし、ＡＢ点間の間隔が極めて短く、また、除霜前に多くの食品の投入や扉開閉があった場合には、Ｂ点の除霜終了後の貯蔵室温度は比較的高く、また、貯蔵室内に含まれる水蒸気の量も多い。このため、Ｂ点の後の冷却運転で設定温度には十分冷却されるものの、貯蔵室内を除湿・冷却した水蒸気の多くが冷却器に霜として付着する可能性がある。
【０３４７】
このため、ＢＣ点間の冷却運転後、通常の除霜周期に到達したなら通常通り除霜運転を行い、残りの霜を除去する。このＣ点でも不在状態が継続されているなら庫内温度は十分に冷却できており、また、冷却器にはＣＤ点間の冷却運転で十分な冷却性能を保ったままでＤ点まで冷却運転を行うことができる。
【０３４８】
ＣＤ点間でも不在状態が継続し、除霜タイミングＤ点に到達した時、本実施の形態の冷蔵庫１５０は、収納変化がないことを継続して検知し、これにより不在状態が継続していると判定した場合、冷却能力も十分あることからＤ点での除霜運転をカットする。冷却運転を継続することでヒータ入力の低減、除霜による庫内温度の上昇を抑制することができる。これにより、省エネルギー化が図れ、また、延長したＥ点で確実に除霜運転を行うことにより、冷却性能を確実に確保することができる。
【０３４９】
なお、図２９Ｂに示したように、ＤＥ点間のいずれかで使用者が帰宅し、その後、冷蔵庫１５０の収納量に変化があったと検知した場合には、直ちにＸ点で除霜動作を行い、冷却量を確保し、通常の除霜周期ｔｄ１に戻してＹ点に到達後に除霜運転を行う。
【０３５０】
ただし、Ｘ点にて冷却能力がまだ十分にあり冷却不足等が起こる可能性が少ない場合には、引き続き除霜運転を延期してもよい。
【０３５１】
一方、図２９Ｃのように、旅行出発前に何らかの極めて高い負荷が貯蔵室に入る、もしくは、冷却器に多量の霜が付着している場合がある。このとき、旅行出発のＡ´点から以降に扉開閉はないが、すでに多量の着霜があり、Ｂ´点での除霜では、あらかじめ決められた除霜時間の上限値（例えば６０分）でも所定温度に達せず、除霜が終了する場合がある。この場合、例えば、次の除霜周期をｔｄ１よりも短いｔｄｓに設定し、Ｃ´点まで冷却運転を行うことができる。
【０３５２】
次に、Ｃ点で除霜運転を行い、除霜時間が決められた時間内に終了したら、通常の周期ｔｄ１で再び冷却運転を行う。そして、Ｄ´点で再び除霜運転を行い、２回続けて時間内に終了し、かつ、収納量変化が少ない場合には、除霜周期をｔｄ２に変更して、継続して冷却運転を行う。
【０３５３】
もしも、Ｅ´点の前に扉開閉があれば、除霜周期をｔｄ１に戻して、Ｅ´点到達時に除霜運転を行う。もし、Ｅ´Ｆ´点間で収納変化があった場合には、収納変化を検知した時点で直ちに除霜運転を行う。もし、Ｆ´点まで収納変化がなければ、Ｆ´点のタイミングで除霜運転を行う。つまり、通常、Ｅ´点で行われる除霜運転をカットすることにより、省エネルギー化を図る。
【０３５４】
さらに、図２９Ｄに示すように、除霜中に使用者が旅行に出発した場合、除霜中に扉開閉や貯蔵室に食品を投入した可能性がある。このような場合には、Ｂ”点とＣ”点の２回は通常通り除霜運転を行い、不在が継続していると判断すると次のＤ”点の除霜運転をカットして、冷却運転を継続する。
【０３５５】
以上のように、本実施の形態においては、冷却器への霜の付着量が少なく、十分冷却能力があるにも関わらず高いヒータ入力等で行う除霜運転を抑制することで省エネルギー化を図ることができる。また、温度上昇を防ぐことができるので保鮮性を向上させることができる。
【０３５６】
また、本実施の形態では、除霜周期を延長することにより、除霜回数が削減でき、温度変動も抑制できる。これにより、保鮮性が向上するとともに、動作回数も減少するので、除霜部１９５や周辺部材の温度上昇を低減でき、信頼性も向上する。
【０３５７】
なお、本実施の形態では、収納変化を検知して除霜動作を制御し、省エネルギー化を図るとしたが、例えば、圧縮機１７０の回転数や冷却ファン１７１の回転数を下げることにより徐冷を行うこと、または、圧縮機１７０のＯＮ／ＯＦＦ回数の低減等でさらに省エネルギー化を図ることができる。
【０３５８】
さらに、使用者が不在である場合には、扉開閉による食品の温度上昇がないと考えられるので、貯蔵室の設定温度を、通常より高め（１Ｋ程度高め）の設定にすることも可能となり、これによりさらに省エネルギー化を図れる。
【０３５９】
また、本実施の形態においては、使用者の不在検知を、収納量変化を用いて行っているが、本発明はこの例に限定されない。例えば、扉開閉動作や室内の照度変化を捉えることができる扉面等の庫外面に設置された照度センサの出力値が急激に変化した場合、照明の点灯やカーテンを開けた等人間の動作を検知した場合、または、空調機器をＯＮしたことによる設置環境の温度センサの変化等によって不在状態を検知してもよい。この場合、さ
らに人間の生活習慣を精度よく検知できる。
【０３６０】
なお、本実施の形態では、Ｆｌａｇの値を「０」または「１」としたが、本発明はこの例に限定されない。例えば、変化なしが「１」、増加が「２」、減少が「０」のように設定してもかまわない。この場合、よりきめ細かく冷却運転をすることができる。
【０３６１】
また、本実施の形態では、Ｆｌａｇを「０」または「１」としたが、本発明はこの例に限定されない。例えば、アナログ検知出力値（例えば０〜５Ｖの電圧値を変換した値）としてもよい。この場合、さらにきめ細かく収納レベルを検知することができるので、食品量や変化量に合わせたきめ細かい制御が可能となる。
【０３６２】
本実施の形態では、人の行動パターンを予測、冷蔵庫の使用状態を推測し、それに合わせて除霜周期や印加電圧を変化させる。これにより、最適な除霜周期や除霜部１９５の印加電圧を設定し、無駄な加温を減少させて省エネルギー化を図るとともに温度変動を抑えることにより収納物１７３の保鮮性を向上させることができる。
【０３６３】
また、予め定められた閾値よりも収納量の変化が少ない場合には、除霜部１９５を動作させる間隔を延長する。この場合、人の動作が少ない、つまり不在と判定し、この状態が一定期間以上維持している場合には、除霜周期を延長する。これにより、除霜部１９５の無駄な加温を減少させて、省エネルギー化を図るとともに温度変動を抑え、保鮮性の維持を図ることができる。
【０３６４】
さらに、除霜部１９５の動作後を基点に、扉開閉が行われない期間が一定以上あり、その間の収納量が、予め定められた閾値より収納量の変化が少なかったとき除霜部１９５を動作させる間隔を延長する。これにより、さらに精度よく人間の行動パターンを把握、予測でき、不在が精度よく判断できるので、さらに省エネルギー化を図ることができる。
【０３６５】
また、除霜部１９５の動作後から、ある一定時間経過した時を基点として、貯蔵室の温度変動がある閾値以下であるか、または、その間収納量が予め定められた閾値より収納量の変化が少なかったときに、除霜部１９５を動作させる間隔を延長する。これにより、本来、冷蔵庫１５０にとって重要な熱負荷を把握することにより、さらに精度のよい使用状況把握が可能となる。よって、不在時には、除霜周期を延長して、更に省エネルギー化を図ることができる。
【０３６６】
さらに、収納状況検知手段を、収納室内に設置された光源と光センサで構成している。これにより、光源の照射光は収納室内で反射を繰り返して庫内全体に行渡り、光センサに入光するので、部品数が少なく簡易な構成で収納状態を検知することができる。
【０３６７】
また、収納状態検知手段の光源を、庫内照明と兼用する場合には、新たな光源を設けることなく、簡易な構成で収納状態を検知することができる。
【０３６８】
さらに、収納状態検知手段の光源を複数のＬＥＤで構成した場合には、高光度の光が光センサに入光するので、収納状態による光センサの検知感度を高めることができる。また、異なる位置にある複数のＬＥＤを、それぞれに点灯させることで、収納状態と点灯させるＬＥＤによって光センサの検知値が変わるので、より詳細に収納状態を推定することができる。
【０３６９】
本実施の形態における冷蔵庫１５０は、断熱壁と断熱扉によって区画され収納物を収納する収納室と、収納室を冷却する冷却器と、冷却器を除霜する除霜部１９５とを備えている。また、冷蔵庫１５０は、収納室内の収納量を推定する収納量推定部１６２と、収納量
推定部１６２の推定結果を記憶する記憶部１９４とを備えている。また、記憶部１９４の前回までの推定結果と収納量推定部１６２の推定結果とに基づいて収納変化量を演算し、除霜部１９５の出力動作を制御する演算制御部１６３とを備えている。演算制御部１６３は、収納室内の収納変化量の演算結果から除霜部１９５の次回動作させる間隔を制御する。
【０３７０】
また、演算制御部１６３は、収納室内の収納変化量が所定時間内に予め定められた閾値を越えない場合には、収納量に変化なしと判断して、除霜部１９５の次回動作させる間隔を延長する。
【０３７１】
これにより、収納量変化が小さい時には、除霜周期を延長することができ、省エネルギー性を向上できる。
【０３７２】
また、冷蔵庫１５０は、断熱扉の開閉を検知する扉開閉検知部１９２を備えている。演算制御部１６３は、除霜部１９５の動作後を基点として、断熱扉の開閉が行われない期間が一定時間以上ある場合には、除霜部１９５を動作させる間隔を延長する。
【０３７３】
これにより、扉開閉をトリガーとすることで、検知精度向上を図ることができる。
【０３７４】
また、冷蔵庫１５０は、収納室の温度を検知する温度検知手段である温度センサ１９１を備える。演算制御部１６３は、除霜部１９５の動作後からある一定時間経過した時を基点として、収納室の温度変動がある所定値以下である場合、除霜部１９５を動作させる間隔を延長する。
【０３７５】
これにより、温度検知手段で検知される温度も考慮することにより、更なる検知精度向上を図ることができる。
【０３７６】
また、演算制御部１６３は、収納室内の収納変化量の演算結果が収納量の減少方向の場合は、除霜部１９５の次回動作させる間隔を延長することも可能である。
【０３７７】
これにより、収納室内の収納変化量の演算結果が収納量の減少方向の場合は、負荷が減る場合であると判断されるので、除霜周期を延長する方向に制御することで、省エネルギー性の更なる向上が図れる。
【０３７８】
なお、本実施の形態では、旅行等の不在を想定して説明したが、一時的な在宅での冷蔵庫使用頻度が少ない場合（扉開閉は多少あるが収納量の変化が少ない場合）も同様の演算制御をすることができる。これにより、扉開閉検知部による扉開閉なしの状態で不在想定するものに対し、扉開閉は多少あるが収納量の変化が少ない場合も対応することができ、更なる省エネルギー性の向上を図ることができる。
【０３７９】
（実施の形態７）
次に、本発明の実施の形態７について説明する。
【０３８０】
図３０は、本発明の実施の形態７における除霜タイミングの動作イメージ図であり、図３１Ａおよび図３１Ｂは同実施の形態における制御フローチャートである。
【０３８１】
本実施の形態では、前述した実施の形態６で説明した構成と異なる部分を中心に詳細な説明を行い、実施の形態６と同一構成である部分および同一の技術思想が適用できる部分については、詳細な説明を省略する。また、実施の形態６で説明した構成は、本実施の形態と組み合わせて実施することが可能である。
【０３８２】
一般的に、旅行や帰省等で家を不在にするとき、その出発日までの過程の中で冷蔵庫１５０内の食品量は減っていく傾向にある。これは、食品には賞味期限があり、長期不在になると賞味期限を越えるものが保存される可能性が高くなり、そのため廃棄しなくてはならないからである。これを防止するために、出かける前に効率よく食品を使いきる傾向が顕著であり、そのため貯蔵室内に保存される食品は、通常より少ない傾向となる。
【０３８３】
そこで、通常使用している期間において、その収納量を逐次検出、演算を行い、その結果を記憶部１９４に保存、データベース化して、基準収納量Ｍｓを算出する。
【０３８４】
そして、例えば海外旅行や帰省、長期出張等の長期不在になるような場合、その前に、貯蔵室の収納量は通常使用されている量より少ない収納量Ｍｂであると検出される。
【０３８５】
このとき、収納量Ｍｂと基準収納量Ｍｓとの差△Ｍｄと、あらかじめ決められたお出かけ判定収納量Ｍｏ（例えば、固定値。もしくは基準収納量Ｍｓにα（例えば０．８）を乗じた値）および基準収納量Ｍｓの差△Ｍｅとを比較する。このとき、△Ｍｄのほうが△Ｍｅより大きい場合、お出かけしている可能性があると判定して「お出かけ検知」処理に移行する。それ以外の場合は、通常どおり冷却運転を行う。「お出かけ検知」処理した場合は、前述した除霜制御を行い、除霜動作をカットすることにより、省エネルギー化が図れる。
【０３８６】
ここで、図３１Ａおよび図３１Ｂの制御フローチャートを使って説明する。なお、概略は、図２８Ｂおよび図２８Ｃで説明したので、重複部分に関しては説明を省略し、詳細部分のみを説明する。
【０３８７】
図３１Ａの「お出かけ検知Ａ」処理において、ステップＳ２１２で、諸パラメータの設定を行う。次に、ステップＳ２１３でタイマｔｃをスタートさせて、ステップＳ２２２に移行する。
【０３８８】
ステップＳ２２２において、現状の算出収納量Ｍｂおよび基準収納量Ｍｓの差△Ｍｄと、現状の算出収納量Ｍｂおよびお出かけ判定収納量Ｍｏの差△Ｍｅとを比較する。△Ｍｄのほうが△Ｍｅより大きければ（Ｓ２２２，ＹＥＳ）、通常運転とは異なった使い方であり、お出かけしている可能性が高いとしてＦｌａｇＡを「１」のままとする（Ｓ２２３）。
【０３８９】
一方、△Ｍｅが△Ｍｄ以上であれば（Ｓ２２２，ＮＯ）、通常の使用方法であり、在宅であると判断して、ＦｌａｇＡを「０」とする（Ｓ２２４）。そして、ステップＳ２１４以降については、実施の形態６で、図２８Ｂを用いて説明したものと同じである。
【０３９０】
また、別の処理フローとして、図３１Ｂを用いて説明する。
【０３９１】
図３１Ｂにおいて、使用状況判定Ａが開始すると、ステップＳ２３２でＦｌａｇＡが「１」であるか否かが判定される。
【０３９２】
ＦｌａｇＡが「１」である場合（Ｓ２３２，ＹＥＳ）、ステップＳ２３９に移行する。ステップＳ２３９において、現状の算出収納量Ｍｂおよび基準収納量Ｍｓの差△Ｍｄと、現状の算出収納量Ｍｂおよびお出かけ判定収納量Ｍｏの差△Ｍｅとを比較する。△Ｍｄのほうが△Ｍｅよりも大きければ（Ｓ２３９，ＹＥＳ）、通常とは異なった使い方であり、使用者がお出かけしている可能性が高いとしてステップＳ２３３に移行し、収納量の変化量△Ｍがあらかじめ設定した閾値Ｍｃ以下であれば、ステップＳ２３４でＦｌａｇＡを「
１」のままとする。もし、△Ｍｅが△Ｍｄ以上であれば（Ｓ２３９，ＮＯ）、また、収納量の変化量△Ｍがあらかじめ設定した閾値Ｍｃよりも大きければ（Ｓ２３３，ＮＯ）、通常の使用方法で在宅と判断して、ステップＳ２３５に移行してＦｌａｇＡを「０」として、「使用状況判定Ａ」処理を終了して、メインルーチンに移行する。
【０３９３】
以上述べたように、本実施の形態においては、通常の収納状況を演算、基準化することによって、想定されている収納状態より減少した収納状況の場合、お出かけ状態であると判断し、除霜運転等を制御することにより省エネルギー化を図ることができる。
【０３９４】
（実施の形態８）
次に、本発明の実施の形態８について説明する。
【０３９５】
図３２Ａおよび図３２Ｂは、本発明の実施の形態８における制御フローチャートである。
【０３９６】
なお、実施の形態６および実施の形態７で説明した構成は、本実施の形態と組み合わせて実施することが可能である。
【０３９７】
図３２Ａの「お出かけ検知Ａ」処理に移行すると、ステップＳ３３２で諸パラメータの設定を行う。具体的には、扉開閉数Ｄｎを「０」、ＦｌａｇＡを「１」、タイマｔｃを「０」、除霜周期ｔｄ１を所定の値にそれぞれ設定する。次に、ステップＳ２１３に移行し、タイマｔｃを開始させ、ステップＳ２１４の「使用状況判定Ａ」処理に移行する。
【０３９８】
本実施の形態における「使用状況判定Ａ」処理について、図３２Ｂを用いて説明する。
【０３９９】
「使用状況判定Ａ」処理を開始させると、ステップＳ２３２で、ＦｌａｇＡが「１」であるかどうかが判定される。もし、ＦｌａｇＡが「１」であるなら（Ｓ２３２，ＹＥＳ）、ステップＳ３３３に移行する。
【０４００】
ステップＳ３３３においては、収納変化量△Ｍがあらかじめ決められている閾値Ｍｃ以下であるか、または、扉開閉数が「０」かどうかが判定される。収納変化量△Ｍがあらかじめ決められている閾値Ｍｃ以下である場合、または、扉開閉数が「０」である場合には（Ｓ３３３，ＹＥＳ）、使用者が不在状態であると判定して、ＦｌａｇＡを「１」のままにする（Ｓ２３４）。
【０４０１】
一方、収納変化量△ＭがＭｃより大きい、または、扉開閉数が「０」でない場合には、使用者が在宅である可能性があると判定し、ステップＳ２３５にてＦｌａｇＡを「０」にし、「使用状況判定Ａ」処理を終了し、メインルーチンに移行する。
【０４０２】
これらの制御により、収納変化に加えて、扉開閉数も、使用者の「在」、「不在」の判定指標にすることができる。これにより、さらに精度のよいお出かけ検知ができ、省エネルギー化を図ることができる。
【０４０３】
なお、人感センサや冷蔵庫の周囲の照度を検知する照度センサを組み合わせることで、さらに精度のよいお出かけ状態を検知することができる。
【０４０４】
以上述べたように、本実施の形態においては、除霜部の動作後を基点に扉開閉が行われない期間が一定以上あり、その間の収納量が予め定められた閾値より収納量の変化が少なかったときに除霜部を動作させない。これより、想定されている収納状態よりも収納量が減少した場合、お出かけ状態であると判断し、適正な除霜運転等を制御することによって
省エネルギー化を図ることができる。
【０４０５】
（実施の形態９）
次に、本発明の実施の形態９について説明する。
【０４０６】
図３３Ａおよび図３３Ｂは、本発明の実施の形態９における制御フローチャートである。なお、実施の形態６から実施の形態８それぞれで説明した構成は、本実施の形態と組み合わせて実施することが可能である。
【０４０７】
図３３Ａの「お出かけ検知Ａ」処理に移行すると、ステップＳ３４２で諸パラメータの設定が行われる。具体的には、ＦｌａｇＡを「１」、タイマｔｃを「０」に設定し、除霜周期ｔｄ１、冷蔵室温度変動ＴＰＣ、冷凍室温度変動ＴＦＣをそれぞれ設定する。
【０４０８】
次に、ステップＳ２１３に移行し、タイマｔｃを開始させ、ステップ２１４の「使用状況判定Ａ」処理に移行する。
【０４０９】
本実施の形態の「使用状況判定Ａ」処理について、図３３Ｂを用いて説明する。
【０４１０】
使用状況判定Ａを開始させると、ステップＳ２３２でＦｌａｇＡが「１」であるか否かが判定される。もし、ＦｌａｇＡが「１」である場合（Ｓ２３２，ＹＥＳ）には、ステップＳ３４３に移行する。
【０４１１】
ステップＳ３４３においては、収納変化量△Ｍがあらかじめ決められている閾値Ｍｃ以下である、冷蔵室温度変動ＴＰＣがあらかじめ決められた変動幅ＴＰＣＳより小さい、または、冷凍室温度変動ＴＦＣがあらかじめ決められた変動幅ＴＦＣＳより小さいかどうかが判定される。いずれかの関係が満たされる場合には（Ｓ３４３，ＹＥＳ）、食品投入や扉開閉な熱負荷がないと判定し、使用者は不在と判定し、ＦｌａｇＡを「１」のままとし（Ｓ２３４）、「使用状況判定Ａ」処理を終了する。
一方、収納変化量△Ｍが閾値Ｍｃよりも大きい、冷蔵室温度変動ＴＰＣおよび冷凍室温度変動ＴＦＣがあらかじめ決められた変動幅ＴＰＣＳ、ＴＦＣＳ以上であるなら、使用者は在宅である可能性があると判定する。この場合、ステップＳ２３５にてＦｌａｇＡを「０」として「使用状況判定Ａ」処理を終了させ、メインルーチンに移行する。
【０４１２】
以上述べた処理により、収納変化に加えて温度変動も、使用者の「在」「不在」の判定指標にすることができる。これにより、さらに精度のよいお出かけ検知ができ、省エネルギー化を図ることができる。
【０４１３】
以上のように、本実施の形態においては、除霜部の動作後からある一定時間経過した時を基点として、貯蔵室の温度変動がある閾値以下であるか、または、その間予め定められた閾値よりも収納量の変化が少なかったときに、除霜部を動作させる間隔を延長する。これによりさらなる省エネルギー化を図ることができる。
【産業上の利用可能性】
【０４１４】
以上述べたように、本発明の冷蔵庫は、収納室内の将来の収納量の変化を予測して適切に対応することができ、省エネ性を高めながら、保鮮性を向上した使い勝手のよい冷蔵庫を提供することができるという格別な効果を奏する。よって、収納量検知機能を有し、その検知結果を用いて、節電運転等に運転モードを切換える家庭用冷蔵庫または業務用冷蔵庫等として有用である。
【符号の説明】
【０４１５】
４，４ａ，４ｂ  冷気吐出口
１１，１５１  冷蔵庫本体
１１ａ  内箱
１１ｂ  外箱
１２，１５２  冷蔵室
１２ａ，１５２ａ  冷蔵室扉
１２ｂ  低温室
１３，１５３  製氷室
１４，１５４  切換室
１５，１５５  冷凍室
１６，１５６  野菜室
１７，１５７  操作部
１８ａ〜１８ｄ，１５８  収納棚
１９，１５９  照明部
２０，２０ａ〜２０ｅ，１６０  発光部
２１，２１ａ〜２１ｆ，１６１  光量検知部
２２，１６３  演算制御部
２３，１６２  収納量推定部
２４  比較情報判定部
２５  変化情報判定部
２７ａ〜２７ｃ  扉棚
２８ａ〜２８ｄ  風量調節部
３０，１７０  圧縮機
３１，１７１  冷却ファン
３２，１７２  温度補償ヒータ
３３，１７３  収納物
３４ａ，３４ｂ，１７４ａ  照射光
５０，１５０  冷蔵庫
６１，１９１  温度センサ
６２，１９２  扉開閉検知部
６３  外気温度センサ
６４，１９４  記憶部
６５  運転開始判定部
６６  運転終了判定部
６７，１９３  ダンパ
６８，１９５  除霜部
７０  温度情報判定部
７１  扉開閉情報判定部
７２  庫外照度センサ
９１  表示部
１９６、ｔｃ  タイマ
【図１】
0005440644.tif 000002
【図２】
0005440644.tif 000003
【図３】
0005440644.tif 000004
【図４】
0005440644.tif 000005
【図５Ａ】
0005440644.tif 000006
【図５Ｂ】
0005440644.tif 000007
【図６】
0005440644.tif 000008
【図７】
0005440644.tif 000009
【図８】
0005440644.tif 000010
【図９】
0005440644.tif 000011
【図１０】
0005440644.tif 000012
【図１１Ａ】
0005440644.tif 000013
【図１１Ｂ】
0005440644.tif 000014
【図１２】
0005440644.tif 000015
【図１３】
0005440644.tif 000016
【図１４】
0005440644.tif 000017
【図１５】
0005440644.tif 000018
【図１６】
0005440644.tif 000019
【図１７】
0005440644.tif 000020
【図１８】
0005440644.tif 000021
【図１９】
0005440644.tif 000022
【図２０】
0005440644.tif 000023
【図２１】
0005440644.tif 000024
【図２２】
0005440644.tif 000025
【図２３】
0005440644.tif 000026
【図２４】
0005440644.tif 000027
【図２５】
0005440644.tif 000028
【図２６】
0005440644.tif 000029
【図２７】
0005440644.tif 000030
【図２８Ａ】
0005440644.tif 000031
【図２８Ｂ】
0005440644.tif 000032
【図２８Ｃ】
0005440644.tif 000033
【図２８Ｄ】
0005440644.tif 000034
【図２８Ｅ】
0005440644.tif 000035
【図２８Ｆ】
0005440644.tif 000036
【図２８Ｇ】
0005440644.tif 000037
【図２８Ｈ】
0005440644.tif 000038
【図２９Ａ】
0005440644.tif 000039
【図２９Ｂ】
0005440644.tif 000040
【図２９Ｃ】
0005440644.tif 000041
【図２９Ｄ】
0005440644.tif 000042
【図３０】
0005440644.tif 000043
【図３１Ａ】
0005440644.tif 000044
【図３１Ｂ】
0005440644.tif 000045
【図３２Ａ】
0005440644.tif 000046
【図３２Ｂ】
0005440644.tif 000047
【図３３Ａ】
0005440644.tif 000048
【図３３Ｂ】
0005440644.tif 000049
【図３４】
0005440644.tif 000050
【図３５】
0005440644.tif 000051